(57)【特許請求の範囲】
【請求項１】
無線通信環境における同期符号のスクランブル化を円滑化する方法であって、
一次同期符号（ＰＳＣ）の指標の関数として、可能性のあるスクランブル符号の集合からスクランブル符号を選択することであって、前記集合内の前記可能性のあるスクランブル符号は、ピーク対平均電力比を最小化及び相互相関を最小化する様に設計されていることと、ここにおいて、前記集合内の前記可能性のあるスクランブル符号はそれぞれ、異なる循環シフトを伴う共通の最長系列（Ｍ系列）に基づいており、前記共通のＭ系列は、共通の生成多項式から生成され、
前記選択されたスクランブル符号によって２つの二進系列の連鎖を含む連鎖された系列をスクランブル化することと、ここにおいて、前記２つの二進系列の少なくとも１つは第２のＭ系列に基づき、前記連鎖された系列は物理レイヤーセルＩＤ群に基づいており、および、
二次同期符号（ＳＳＣ）を生成するために、スクランブルされた前記連鎖された系列をインターリーブすること
を含む方法。
【請求項２】
前記可能性のあるスクランブル符号を生成することを更に含む、請求項１の方法。
【請求項３】
ビットの切り捨て、ビットのパンクチャード、又は一つ以上の前記可能性のあるスクランブル符号の繰り返し化のうちの少なくとも一つによって、一つ以上の前記可能性のあるスクランブル符号の長さを調整することを更に含む、請求項１の方法。
【請求項４】
一次同期符号（ＰＳＣ）の指標の関数として、可能性のあるスクランブル符号の集合からスクランブル符号を選択することであって、前記集合内の前記可能性のあるスクランブル符号は、ピーク対平均電力比を最小化及び相互相関を最小化する様に設計されており、前記集合内の前記可能性のあるスクランブル符号はそれぞれ、異なる循環シフトを伴う共通の最長系列（Ｍ系列）に基づいており、前記共通のＭ系列は、共通の生成多項式から生成され、前記選択されたスクランブル符号によって２つの二進系列の連鎖を含む連鎖された系列をスクランブル化することと、ここにおいて、前記２つの二進系列の少なくとも１つは第２のＭ系列に基づき、前記連鎖された系列は物理レイヤーセルＩＤ群に基づいており、および、二次同期符号（ＳＳＣ）を生成するために、スクランブルされた前記連鎖された系列をインターリーブすること、に関する命令を保有するメモリと、
前記メモリと連結され、前記メモリに保有された前記命令を実行するように構成されたプロセッサと、
を含む無線通信装置。
【請求項５】
前記メモリは、前記共通の生成多項式から前記共通のＭ系列を生成することと、前記共通のＭ系列及び異なる各循環シフトに基づいて、前記集合内の前記可能性のあるスクランブル符号を生成することと、に関する命令を更に保有する請求項４の無線通信装置。
【請求項６】
前記メモリは、一つ以上の前記集合内の前記可能性のあるスクランブル符号の長さを修正することに関する命令を更に保有する請求項４の無線通信装置。
【請求項７】
無線通信環境における二次同期符号のためのスクランブル信号を用いることを可能にする無線通信装置であって、
一次同期符号（ＰＳＣ）の指標に基づいて、可能性のあるスクランブル符号の集合からスクランブル符号を選択するための手段であって、前記集合内の前記可能性のあるスクランブル符号は、ピーク対平均電力比を最小化及び相互相関を最小化する様に設計されている手段と、ここにおいて、前記集合内の前記可能性のあるスクランブル符号はそれぞれ、異なる循環シフトを伴う共通の最長系列（Ｍ系列）に基づいており、前記共通のＭ系列は、共通の生成多項式から生成され、
前記選択されたスクランブル符号によって２つの二進系列の連鎖を含む連鎖された系列をスクランブル化するための手段と、ここにおいて、前記２つの二進系列の少なくとも１つは第２のＭ系列に基づき、前記連鎖された系列は物理レイヤーセルＩＤ群に基づいており、および、
二次同期符号（ＳＳＣ）を生成するために、スクランブルされた前記連鎖された系列をインターリーブするための手段と、
を含む無線通信装置。
【請求項８】
前記可能性のあるスクランブル符号を生成するための手段と、
前記ＳＳＣの長さに合わせて、少なくとも一つの前記可能性のあるスクランブル符号の長さを調整するための手段と、
を更に含む請求項７の無線通信装置。
【請求項９】
一次同期符号（ＰＳＣ）の指標の関数として、可能性のあるスクランブル符号の集合からスクランブル符号を選択することをコンピュータに実行させるためのコードであって、前記集合内の前記可能性のあるスクランブル符号は、ピーク対平均電力比を最小化及び相互相関を最小化する様に設計されているコードと、ここにおいて、前記集合内の前記可能性のあるスクランブル符号はそれぞれ、異なる循環シフトを伴う共通の最長系列（Ｍ系列）に基づいており、前記共通のＭ系列は、共通の生成多項式から生成され、
前記選択されたスクランブル符号によって２つの二進系列の連鎖を含む連鎖された系列をスクランブル化することをコンピュータに実行させるためのコードと、ここにおいて、前記２つの二進系列の少なくとも１つは第２のＭ系列に基づき、前記連鎖された系列は物理レイヤーセルＩＤ群に基づいており、および、
二次同期符号（ＳＳＣ）を生成するために、スクランブルされた前記連鎖された系列をインターリーブすることをコンピュータに実行させるためのコードと、
を含むコードを記録したコンピュータ読み取り可能な記録媒体。
【請求項１０】
前記共通の生成多項式から前記共通のＭ系列を生成することをコンピュータに実行させるためのコードと、前記共通のＭ系列及び異なる各循環シフトに基づいて、前記集合内の前記可能性のあるスクランブル符号を生成することをコンピュータに実行させるためのコードと、を更に記録した請求項９のコンピュータ読み取り可能な記録媒体。
【請求項１１】
無線通信システムにおける装置であって、
一次同期符号（ＰＳＣ）の指標に基づいて、可能性のあるスクランブル符号の集合からスクランブル符号を選択し、前記集合内の前記可能性のあるスクランブル符号は、ピーク対平均電力比を最小化及び相互相関を最小化する様に設計されており、ここにおいて、前記集合内の前記可能性のあるスクランブル符号はそれぞれ、異なる循環シフトを伴う共通の最長系列（Ｍ系列）に基づいており、前記共通のＭ系列は、共通の生成多項式から生成され、
前記選択されたスクランブル符号によって２つの二進系列の連鎖を含む連鎖された系列をスクランブル化し、ここにおいて、前記２つの二進系列の少なくとも１つは第２のＭ系列に基づき、前記連鎖された系列は物理レイヤーセルＩＤ群に基づいており、および、
二次同期符号（ＳＳＣ）を生成するために、スクランブルされた前記連鎖された系列をインターリーブする
ように構成されたプロセッサ、
を含む装置。
【請求項１２】
無線通信環境における受信された同期符号のスクランブル解除を円滑化する方法であって、
ＰＳＣ指標を特定するために受信された一次同期符号（ＰＳＣ）を復号することと、
ＰＳＣ指標の関数として、可能性のあるスクランブル符号の集合から基地局で用いられるスクランブル符号を認識することであって、前記集合内の前記可能性のあるスクランブル符号は、ピーク対平均電力比を最小化及び相互相関を最小化する様に設計されていることと、ここにおいて、前記集合内の前記可能性のあるスクランブル符号はそれぞれ、異なる循環シフトを伴う共通の最長系列（Ｍ系列）に基づいており、前記共通のＭ系列は、共通の生成多項式から生成され、
受信された二次同期符号（ＳＳＣ）を、前記基地局で用いられるスクランブル符号を用いて、復号することであって、前記ＳＳＣは、前記基地局で用いられるスクランブル符号に基づいてスクランブルされ、インターリーブされた連鎖された系列であり、前記連鎖された系列は２つの二進系列の連鎖を含み、ここにおいて、前記２つの二進系列の少なくとも１つは第２のＭ系列に基づき、前記連鎖された系列は前記基地局の物理レイヤーセルＩＤ群に基づいていること
を含む方法。
【請求項１３】
前記共通の生成多項式から前記共通のＭ系列を生成することと、
前記Ｍ系列及び異なる各循環シフトに基づいて、前記集合内の前記可能性のあるスクランブル符号を生成することと、
を更に含む請求項１２の方法。
【請求項１４】
前記集合内の前記可能性のあるスクランブル符号は予め定められている、請求項１２の方法。
【請求項１５】
一つ以上の前記集合内の前記可能性のあるスクランブル符号の長さを修正することを更に含む請求項１２の方法。
【請求項１６】
ＰＳＣ指標を特定するために受信された一次同期符号（ＰＳＣ）を復号することと、前記ＰＳＣ指標の関数として、可能性のあるスクランブル符号の集合から基地局で用いられるスクランブル符号を認識することであって、前記集合内の前記可能性のあるスクランブル符号は、ピーク対平均電力比を最小化及び相互相関を最小化する様に設計されていることと、受信された二次同期符号（ＳＳＣ）を前記基地局で用いられるスクランブル符号を用いて復号することと、に関する命令を保有するメモリと、ここにおいて、前記集合内の前記可能性のあるスクランブル符号はそれぞれ、異なる循環シフトを伴う共通の最長系列（Ｍ系列）に基づいており、前記共通のＭ系列は、共通の生成多項式から生成され、および、記ＳＳＣは、前記基地局で用いられるスクランブル符号に基づいてスクランブルされ、インターリーブされた連鎖された系列であり、前記連鎖された系列は２つの二進系列の連鎖を含み、ここにおいて、前記２つの二進系列の少なくとも１つは第２のＭ系列に基づき、前記連鎖された系列は前記基地局の物理レイヤーセルＩＤ群に基づいており、および、
前記メモリと連結された、前記メモリに保有された前記命令を実行するように構成されたプロセッサと、
を含む無線通信装置。
【請求項１７】
前記メモリは、切り捨て、パンクチャード、又は繰り返し化のうちの少なくとも一つによって、一つ以上の前記集合内の前記可能性のあるスクランブル符号の長さを調整することに関する命令を更に保有する請求項１６の無線通信装置。
【請求項１８】
無線通信環境において受信された二次同期符号のスクランブル解除をする無線通信装置であって、
受信された一次同期符号（ＰＳＣ）に対応する指標の関数として、スクランブル符号の集合から、基地局で用いられるスクランブル符号を決定するための手段であって、前記集合内の前記スクランブル符号は、ピーク対平均電力比を最小化及び相互相関を最小化する様に設計されている手段と、ここにおいて、前記集合内の前記スクランブル符号はそれぞれ、異なる循環シフトを伴う共通の最長系列（Ｍ系列）に基づいており、前記共通のＭ系列は、共通の生成多項式から生成され、
受信された二次同期符号（ＳＳＣ）を、前記基地局で用いられるスクランブル符号を用いて、スクランブル解除するための手段であって、前記ＳＳＣは、前記基地局で用いられるスクランブル符号に基づいてスクランブルされ、インターリーブされた連鎖された系列であり、前記連鎖された系列は２つの二進系列の連鎖を含み、ここにおいて、前記２つの二進系列の少なくとも１つは第２のＭ系列に基づき、前記連鎖された系列は前記基地局の物理レイヤーセルＩＤ群に基づいていること
を含む無線通信装置。
【請求項１９】
前記受信されたＳＳＣに合わせて一つ以上の前記集合内の前記スクランブル符号の長さを修正するための手段を更に含む請求項１８の無線通信装置。
【請求項２０】
受信された一次同期符号（ＰＳＣ）に対応する指標の関数として、スクランブル符号の集合から、基地局で用いられるスクランブル符号を決定することをコンピュータに実行させるためのコードであって、前記集合内の前記スクランブル符号は、ピーク対平均電力比を最小化及び相互相関を最小化する様に設計されているコードと、ここにおいて、前記集合内の前記スクランブル符号はそれぞれ、異なる循環シフトを伴う共通の最長系列（Ｍ系列）に基づいており、前記共通のＭ系列は、共通の生成多項式から生成され、
受信された二次同期符号（ＳＳＣ）を、前記基地局で用いられるスクランブル符号を用いて、スクランブル解除することをコンピュータに実行させるためのコードであって、前記ＳＳＣは、前記基地局で用いられるスクランブル符号に基づいてスクランブルされ、インターリーブされた連鎖された系列であり、前記連鎖された系列は２つの二進系列の連鎖を含み、ここにおいて、前記２つの二進系列の少なくとも１つは第２のＭ系列に基づき、前記連鎖された系列は物理レイヤーセルＩＤ群に基づいていること
を含むコードを記録したコンピュータ読み取り可能な記録媒体。
【請求項２１】
前記共通の生成多項式から前記共通のＭ系列を生成することをコンピュータに実行させるためのコードと、前記共通のＭ系列及び異なる各循環シフトに基づいて、前記集合内の前記可能性のあるスクランブル符号を生成することをコンピュータに実行させるためのコードと、を更に含む請求項２０のコンピュータ読み取り可能な記録媒体。
【請求項２２】
無線通信システムにおける装置であって、
受信された一次同期符号（ＰＳＣ）に対応する指標の関数として、スクランブル符号の集合から、基地局で用いられるスクランブル符号を決定し、前記集合内の前記スクランブル符号は、ピーク対平均電力比を最小化及び相互相関を最小化する様に設計されており、ここにおいて、前記集合内の前記スクランブル符号はそれぞれ、異なる循環シフトを伴う共通の最長系列（Ｍ系列）に基づいており、前記共通のＭ系列は、共通の生成多項式から生成され、
受信された二次同期符号（ＳＳＣ）を、前記基地局で用いられるスクランブル符号を用いて、スクランブル解除し、前記ＳＳＣは、前記基地局で用いられるスクランブル符号に基づいてスクランブルされ、インターリーブされた連鎖された系列であり、前記連鎖された系列は２つの二進系列の連鎖を含み、ここにおいて、前記２つの二進系列の少なくとも１つは第２のＭ系列に基づき、前記連鎖された系列は物理レイヤーセルＩＤ群に基づく
ように構成されたプロセッサ、
を含む装置。
【請求項２３】
前記第２のＭ系列は、第２の生成多項式から生成される、請求項１の方法。
【発明の詳細な説明】
【技術分野】
【０００１】
本出願は、２００７年１０月１１日に出願した「LTE RLC POLLING AND STATUS REPORT TIMING」という名称の米国特許仮出願第６０／９７９，３５７号の優先権を主張する。上記の出願の全体は、参照により本明細書に組み込まれている。
【０００２】
Ｉ．分野
以下の説明は、概して無線通信に関しており、より詳しくは、無線通信システムにおける二次同期符号をスクランブルするために用いるスクランブル符号に関する。
【背景技術】
【０００３】
ＩＩ．背景
無線通信システムは、様々な種類の通信の供給に広く用いられている。例えば、音声及び／又はデータは、その様な無線通信システムを通じて供給され得る。代表的な無線通信システム又はネットワークは、複数のユーザーに、一つ以上の共有の資源（例えば回線容量、送信出力、・・・）を利用可能にすることができる。例えば、システムは、周波数分割多重化（Frequency Division Multiplexing；ＦＤＭ）、時分割多重化（Time Division Multiplexing；ＴＤＭ）、符号分割多重化（Code Division Multiplexing；ＣＤＭ）、直交周波数分割多重化（Orthogonal Frequency Division Multiplexing；ＯＦＤＭ）等といった様々な多重接続技術を用いることができる。
【０００４】
一般に、無線多重接続通信システムは、同時に複数の接続端末の通信をサポートすることができる。それぞれの接続端末は、一つ以上の基地局と、順方向及び逆方向リンクを通じて通信をすることができる。順方向リンク（又はダウンリンク）は、基地局から接続端末への通信リンクを表し、逆方向リンク（又はアップリンク）は、接続端末から基地局への通信リンクを表す。この通信リンクは、シングルイン−シングルアウト（single-in-single-out）、マルチイン−シングルアウト（multiple-in-single-out）、又はマルチイン−マルチアウト（multiple-in-multiple-out；ＭＩＭＯ）システムを通じて確立され得る。
【０００５】
ＭＩＭＯシステムは、一般にデータ送信のために、複数（ＮＴ）の送信アンテナと複数（ＮＲ）の受信アンテナとを用いる。ＮＴ個の送信アンテナとＮＲ個の受信アンテナによって構成されたＭＩＭＯチャネルは、空間チャネルとして表され得るＮＳ個の独立したチャネルに分解され得る。ここで、ＮＳ≦｛ＮＴ，ＮＲ｝である。ＮＳ個の独立したチャネルのそれぞれは、一次元に相当する。更に、複数の送受信アンテナを用いることで創出される追加次元を用いると、ＭＩＭＯシステムは、性能を向上（例えば、向上したスペクトル効率、高い処理能力、及び／又は高い信頼性）させられる。
【０００６】
ＭＩＭＯシステムは、共通の物理メディア上の順方向及び逆方向リンク通信を分割する、様々な二重通信（duplex）技術をサポートすることができる。例えば、周波数分割双方向（frequency division duplex；ＦＤＤ）システムは、順方向及び逆方向リンク通信のための本質的に異なる周波数帯を用いることができる。更に、時分割双方向（time division duplex；ＴＤＤ）システムでは、順方向及び逆方向リンク通信は、相互主義（reciprocity principle）が、逆方向リンクチャネルから順方向リンクチャネルの評価を可能にするように、共通周波数帯を用いることができる。
【０００７】
無線通信システムは、しばしば、あるサービスエリアを提供する一つ以上の基地局を用いる。代表的な基地局は、複数のデータストリームを、ブロードキャスト、マルチキャスト、及び／又はユニキャストサービスのために送信することができる。ここでデータストリームは、関心接続端末に独立して受信されるデータの流れでも良い。その様な基地局のサービスエリア内の接続端末は、複合流によって伝達される一つ、二つ以上、又は全てのデータストリームを受信するために用いられ得る。同様に、接続端末は、基地局又は他の接続端末にデータを送信することができる。
【０００８】
同期符号は、端末が検出、特定等され得る様に、無線通信環境に用いられ得る。例えば、（例えばＰＳＣの集合からの）一次同期符号（primary synchronization code；ＰＳＣ）及び（例えばＳＳＣの集合からの）二次同期符号（secondary synchronization code；ＳＳＣ）は、（一又は複数の）接続端末が、タイミング情報、系列情報、端末ＩＤ（identification）等を、基地局から取得するために、基地局によって用いられ得る。例えば、特定の基地局によって用いられる特定のＰＳＣ及びＳＳＣの組合せは、その基地局に対応する端末ＩＤを示すことができる。従って、接続端末は、ある基地局からのＰＳＣ及びＳＳＣを、受信し検出することができ、その結果に基づいて、タイミング情報、系列情報、その基地局と関係する端末ＩＤ（identification）等を認識できる。
【発明の概要】
【０００９】
以下は、一つ以上の実施形態の基本的な理解を与えるために、それら実施形態の単純化した概要を表す。この概要は、全ての実施形態の広範な概説を意図するものでは無く、全ての実施形態の要所又は重要な要素を意図するものでも、何れかの或いは全ての実施形態の範囲を説明するものでも無い。この目的はただ、一つ以上の実施形態の幾つかの概念を、後述する更に詳細な説明の前置きとして、単純化したものである。
【００１０】
一つ以上の実施形態及び対応する開示に依れば、幾つかの態様は、二次同期符号（ＳＳＣ）をスクランブル化又はスクランブル解除するための、一次同期符号（ＰＳＣ）によって指標付けられるスクランブル符号の集合からのスクランブル符号の利用促進との結合が開示されている。この集合のスクランブル符号は、ピーク対平均電力比（peak-to-average power ratios）を最適化する様に、及び／又は相互相関を和らげる様に、設計され得る。例えば、スクランブル符号は、異なる多項式から生成される、異なるＭ系列に基づき得る。他の例に依れば、スクランブル符号は、同じＭ系列の異なる循環シフトに基づき得る。他の例に依れば、スクランブル符号は、無線通信環境において用いられる、可能性のある一次同期符号の二進数近似に基づくことができる。更なる例に従うと、スクランブル符号は、異なるＧｏｌａｙ相補系列に基づくことができる。
【００１１】
関連する態様に依れば、無線通信環境における同期符号のスクランブル化を促進する方法がここに開示されている。その方法は、一次同期符号（ＰＳＣ）の指標の関数として、可能性のあるスクランブル符号の集合からの、スクランブル符号の選択であって、前記集合内のスクランブル符号は、ピーク対平均電力比を最小化及び相互相関を最小化する様に設計されている選択を含み得る。更に、その方法は、選択されたスクランブル符号を用いた、二次同期符号（ＳＳＣ）のスクランブル化を包含し得る。更に、その方法は、スクランブル化されたＳＳＣの送信を含むことができる。
【００１２】
別の態様は、無線通信装置に関する。その無線通信装置は、一次同期符号（ＰＳＣ）の指標の関数として、可能性のあるスクランブル符号の集合からの、スクランブル符号の選択であって、前記集合内のスクランブル符号は、ピーク対平均電力比を最小化及び相互相関を最小化する様に設計されている選択と、二次同期符号（ＳＳＣ）の選択されたスクランブル符号を用いたスクランブル化と、スクランブル化されたＳＳＣの送信とに関する命令を保持するメモリを含み得る。更に、その無線通信装置は、前記メモリと連結され、そのメモリに保存された命令を実行するように構成されたプロセッサを含み得る。
【００１３】
更に別の態様は、無線通信環境における二次同期符号のためのスクランブル化した信号を用いることができる無線通信装置と関連する。その無線通信装置は、一次同期符号（ＰＳＣ）の指標に基づいて、可能性のあるスクランブル符号の集合から、スクランブル符号を選択するための手段であって、前記集合内の可能性のあるスクランブル符号は、ピーク対平均電力比を最小化及び相互相関を最小化する様に設計されている手段を含み得る。更に、その無線通信装置は、選択されたスクランブル符号を用いて二次同期符号（ＳＳＣ）をスクランブル化するための手段を含み得る。更に、その無線通信装置は、スクランブル化されたＳＳＣを、ダウンリンクで送信する手段を含み得る。
【００１４】
更に別の態様は、コンピュータで読み取り可能な媒体から成り得るコンピュータ・プログラム・プロダクトに関する。そのコンピュータで読み取り可能な媒体は、一次同期符号（ＰＳＣ）の指標の関数として、可能性のあるスクランブル符号の集合から、スクランブル符号の選択するためのコードであって、前記集合内の可能性のあるスクランブル符号は、ピーク対平均電力比を最小化及び相互相関を最小化する様に設計されているコードを含み得る。更に、そのコンピュータで読み取り可能な媒体は、二次同期符号（ＳＳＣ）を、選択されたスクランブル符号を用いて、スクランブル化するためのコードを含み得る。更に、そのコンピュータで読み取り可能な媒体は、スクランブル化されたＳＳＣを送信するためのコードからなり得る。
【００１５】
また別の態様に依れば、無線通信システムに含まれる装置は、一次同期符号（ＰＳＣ）の指標の関数に基づいて、可能性のあるスクランブル符号の集合から、スクランブル符号を選択するためのプロセッサであって、前記集合内の可能性のあるスクランブル符号は、ピーク対平均電力比を最小化及び相互相関を最小化する様に設計されているプロセッサを含み得る。更に、そのプロセッサは、選択されたスクランブル符号を用いた、二次同期符号 （ＳＳＣ）のスクランブル化をする様に構成され得る。
【００１６】
また別の態様には、無線通信環境における受信された同期符号のスクランブル解除を促進する方法が開示されている。その方法は、ＰＳＣの指標を特定するための、受信された一次同期符号（ＰＳＣ）の復号を含み得る。更に、その方法は、一次同期符号（ＰＳＣ）の指標の関数としての、可能性のあるスクランブル符号の集合から、基地局が用いるスクランブル符号を認識であって、前記集合内の可能性のあるスクランブル符号は、ピーク対平均電力比を最小化及び相互相関を最小化する様に設計されている認識からなり得る。更に、その方法は、基地局が用いるスクランブル符号に依る受信された二次同期符号（ＳＳＣ）の復号を含み得る。
【００１７】
また別の態様は、基地局が用いるスクランブル符号に依る、ＰＳＣ指標を特定するための受信した一次同期符号（ＰＳＣ）の復号と、ＰＳＣの指標の関数として、可能性のあるスクランブル符号の集合からの、基地局が用いるスクランブル符号の認識であって、前記集合内の可能性のあるスクランブル符号は、ピーク対平均電力比を最小化及び相互相関を最小化する様に設計されている認識と、基地局が用いるスクランブル符号を用いた受信した二次同期符号（ＳＳＣ）の復号と、に関する指令を保存するメモリを含み得る無線通信装置に関する。更に、その無線通信装置は、メモリと連結され、そのメモリに保存された指示を実行するように構成されたプロセッサから成り得る。
【００１８】
別の態様は、無線通信環境において受信した二次同期符号をスクランブル解除する無線通信装置に関する。その無線通信装置は、受信した一次同期符号（ＰＳＣ）に対応する指標の関数として、スクランブル符号の集合から、基地局が用いるスクランブル符号を決定する手段であって、前記集合内のスクランブル符号は、ピーク対平均電力比を最小化及び相互相関を最小化する様に設計されている手段を含み得る。更に、その無線通信装置は、その基地局が用いるスクランブル符号に依る受信した二次同期符号（ＳＳＣ）のスクランブル解除のための手段を包含し得る。
【００１９】
更に他の態様は、コンピュータで読み取り可能な媒体から成り得るコンピュータ・プログラム・プロダクトに関する。そのコンピュータで読み取り可能な媒体は、受信した一次同期符号（ＰＳＣ）に対応する指標の関数として、スクランブル符号の集合から基地局が用いるスクランブル符号を決定するためのコードであって、前記集合内のスクランブル符号は、ピーク対平均電力比を最小化及び相互相関を最小化する様に設計されているコードを含み得る。更に、そのコンピュータで読み取り可能な媒体は、基地局で用いられるスクランブル符号に依る受信した二次同期符号（ＳＳＣ）のスクランブル解除のためのコードを含み得る。
【００２０】
また別の態様に依れば、無線通信システムにおける装置は、受信した一次同期符号（ＰＳＣ）に対応する指標の関数として、スクランブル符号の集合から基地局が用いるスクランブル符号を決定するものであって、前記集合内のスクランブル符号は、ピーク対平均電力比を最小化及び相互相関を最小化する様に設計されるように構成され得るプロセッサを含み得る。更に、そのプロセッサは、基地局で用いられるスクランブル符号に依る受信された二次同期符号（ＳＳＣ）のスクランブル解除をするように構成され得る。
【００２１】
前述のそして関連する部分に依れば、一つ以上の実施形態は、下記に十分に開示され、そして、特に請求項に指摘された特徴を包含する。下記の記載及び添付した図面は、一つ以上の実施形態のある実施例の態様を詳細に説明する。然し乍これらの態様は、様々な実施形態の原理が用いられ得る様々な観点のうちのいくつかを示すものであり、説明されている実施形態は、それらすべての態様及びそれらの均等物を含むことを意図されている。
【図面の簡単な説明】
【００２２】
【図１】図１は、ここに説明される様々な態様による無線通信システムの説明図である。
【図２】図２は、特許請求された主題の様々な態様による同期符号のスクランブル化の一例を示す概略図である。
【図３】図３は、無線通信環境における二次同期符号のためのスクランブル符号を使用し得るシステムの一例を示す図である。
【図４】図４は、無線通信環境における同期符号のスクランブル化を促進する方法の一例を示す図である。
【図５】図５は、無線通信環境における受信した同期符号のスクランブル解除を促進する方法の一例を示す図である。
【図６】図６は、無線通信システムにおける基地局で用いられるスクランブル符号を特定する接続端末の一例を示す図である。
【図７】図７は、無線通信環境におけるスクランブル符号を用いてＳＳＣをスクランブル化するシステムの一例を示す図である。
【図８】図８は、ここに開示される様々なシステム及び方法との結合に用いられ得る無線通信環境の一例を示す図である。
【図９】図９は、無線通信環境における二次同期符号のためのスクランブル信号の利用を可能にするシステムの一例を示す図である。
【図１０】図１０は、無線通信環境における受信された二次同期符号のスクランブル解除を可能にするシステムの一例を示す図である。
【発明を実施するための形態】
【００２３】
様々な実施形態を、同種の参照符号は全体を通して同種の要素を表すものとする図面を参照して、ここに記載する。以下の説明では、説明の目的として、一つ以上の実施形態の完全な理解を与えるために多数の具体的な詳細が説明されている。然し乍、そのような（一又は複数の）実施形態は、これら特有の詳細に依らずに実施されても良いことは、明らかであろう。他の例では、一つ以上の実施形態の説明を円滑にするために、良く知られた構造や装置が、ブロック図の形で示されている。
【００２４】
この明細書では、「構成要素」、「構成部分」、「システム」等といった言葉は、ハードウェア、ファームウェア、ハードウェアとソフトウェアの組合せ、ソフトウェア又は実行中のソフトウェアの何れをも含むコンピュータ関連の構成要素を言うことを意図するものである。例えば、構成要素は、それに限定されないが、プロセッサ上で実行される処理、プロセッサ、オブジェクト、実行ファイル、実行スレッド、プログラム、及び／又はコンピュータであり得る。説明としては、コンピュータ・デバイス上で実行されるアプリケーションも、コンピュータ・デバイスも、構成要素になり得る。一つ以上の構成要素は、処理及び／又は実行スレッド内に存在し得るし、構成要素は、一つのコンピュータ内に存在し得るし、及び／又は二つ以上のコンピュータに分散し得る。加えて、これらの構成要素は、それらに保存された種々のデータ構造を有する様々なコンピュータで読み取り可能な媒体から実行し得る。その構成要素は、一つ以上のデータパケット（例えば、その信号のための他のシステムによって、ローカルシステム内、分散システム内及び／又はインターネットといったネットワーク内の他の構成要素と相互に作用する一つの構成要素からのデータ）を有する信号に従ってといった近接及び／又は遠隔処理を経由して通信し得る。
【００２５】
ここに記載する技術は、符号分割多重接続（code division multiple access；ＣＤＭＡ）、時分割多重接続（time division multiple access；ＴＤＭＡ）、周波数分割多重接続（frequency division multiple access；ＦＤＭＡ）、直交周波数分割多重接続（orthogonal frequency division multiple access；ＯＦＤＭＡ）、単一キャリア周波数分割多重接続（single carrier-frequency division multiple access；ＳＣ−ＦＤＭＡ）その他のシステムといった様々な無線通信システムに用いることができる。この「システム」及び「ネットワーク」という言葉は、しばしば互いに置き換えられ得る。ＣＤＭＡシステムは、ユニバーサル地上無線アクセス（Universal Terrestrial Radio Access；ＵＴＲＡ）、ＣＤＭＡ２０００等といった無線技術を実装し得る。ＵＴＲＡは、ワイドバンド（Wideband）−ＣＤＭＡ（Ｗ−ＣＤＭＡ；登録商標）やその他のＣＤＭＡの改良型を含む。ＣＤＭＡ２０００は、ＩＳ−２０００、ＩＳ−９５及びＩＳ−８５６規格を対象とする。ＴＤＭＡシステムは、グローバル・システム・フォー・モバイル・コミュニケーションズ（Global System for Mobile Communications；ＧＳＭ；登録商標）といった無線技術を実装し得る。ＯＦＤＭＡシステムは、次世代ＵＴＲＡ（Ｅ−ＵＴＲＡ）、ウルトラ・モバイル・ブロードバンド（Ultra Mobile Broadband；ＵＭＢ）、ＩＥＥＥ８０２．１１（Ｗｉ−Ｆｉ；登録商標）、ＩＥＥＥ８０２．１６（ＷｉＭａｘ；登録商標）、ＩＥＥＥ８０２．２０、フラッシュＯＦＤＭ（Flash-OFDM；登録商標）等といった無線技術を実装し得る。ＵＴＲＡ及びＥ−ＵＴＲＡは、ユニバーサル移動通信システム（Universal Mobile Telecommunication System；ＵＭＴＳ）の一部を成す。３ＧＰＰロング・ターム・エボリューション（Long Term Evolution；ＬＴＥ；登録商標）は、間もなく公開される、ダウンリンクにＯＦＤＭＡを適用し、アップリンクにＳＣ−ＦＤＭＡを適用する、Ｅ−ＵＴＲＡを用いたＵＭＴＳである。
【００２６】
単一キャリア周波数分割多重接続（single carrier-frequency division multiple access；ＳＣ−ＦＤＭＡ）は、単一キャリア変調及び周波数領域等化を用いている。ＳＣ−ＦＤＭＡは、ＯＦＤＭＡシステムと同様の性能及び本質的な全体の複雑さを有している。ＳＣ−ＦＤＭＡ信号は、特有の単一キャリア構造に由来する低いピーク対平均電力比（ＰＡＰＲ）を有する。ＳＣ−ＦＤＭＡは、例えば、低いＰＡＰＲが送信出力効率の観点から接続端末にとって非常に有益である、アップリンク通信において用いられ得る。従って、ＳＣ−ＦＤＭＡは、３ＧＰＰロング・ターム・エボリューション（Long Term Evolution；ＬＴＥ）又は次世代ＵＴＲＡにおけるアップリンク多重接続スキームに実装され得る。
【００２７】
更に、様々な実施形態は、接続端末との接続に関しここに記載されている。接続端末（access terminal）は、システム（system）、加入者ユニット（subscriber unit）、加入者局（subscriber station）、移動局（mobile station）、携帯電話（mobile）、遠隔ステーション（remote station）、遠隔端末（remote terminal）、モバイル機器（mobile device）、ユーザー端末（user terminal）、端末（terminal）、無線通信機器（wireless communication device）、ユーザー媒体（user agent）、ユーザー機器（user device）、又はユーザー装置（user equipment；ＵＥ）と称されることもある。接続端末は、携帯電話、コードレス電話、セッション初期化プロトコル（Session Initiation Protocol；ＳＩＰ）電話、ワイヤレス・ローカル・ループ（wireless local loop；ＷＬＬ）局、携帯情報端末（personal digital assistant；ＰＤＡ）、無線接続可能なハンドヘルド機器（handheld device）、コンピュータ・デバイス、又は無線モデムと接続されたその他の処理機器であり得る。更に、様々な実施形態は、基地局との接続に関しここに記載されている。基地局は、（一又は複数の）接続端末との通信に用いられることができ、アクセス・ポイント、ノードＢ、次世代ノードＢ（Evoluted Node B；ｅＮｏｄｅＢ）、又は幾つかのその他の用語として表され得る。
【００２８】
セル（cell）は、基地局によってサービスを受けるサービスエリアを表し得る。セルは、更に一つ以上のセクターを含む。簡単且つ明瞭には、「セクター」という言葉は、ここではセル、又は基地局によってサービスを受けるセルの区画として使われ得る。「接続端末」及び「ユーザー」は、互いに置き換えられ得るし、「セクター」及び「基地局」も、互いに置き換えられ得る。サービング基地局／セクターは、接続端末が通信する基地局／セクターを表し得る。
【００２９】
更に、ここに記載されている様々な態様又は特徴は、方法、装置、若しくは標準プログラム及び／又はエンジニアリング技術を用いた製品として実装され得る。ここで使われている「製品」という言葉は、コンピュータで読み取り可能な機器、キャリア、又は媒体から接続可能なコンピュータプログラムを包含することを意図する。例えば、コンピュータ可読媒体は、これに限定されないが、磁気記憶装置（例えば、ハードディスク、フロッピー（登録商標）ディスク、マグネットストライプ等）、光学ディスク（例えば、コンパクトディスク（ＣＤ）、デジタル多用途ディスク（ＤＶＤ）等）、スマートカード、及びフラッシュメモリ装置（例えば、ＥＰＲＯＭ、カード、スティック、キードライブ等）を含み得る。加えて、ここに記載される様々な記憶媒体は、一つ以上の装置及び／又は情報を保存するその他の機械で読み取り可能な媒体を意味し得る。「機械で読み取り可能な媒体」という言葉は、これに限定されないが、無線チャネル並びにその他様々な命令及び／又はデータを保存、包含、及び／又は持ち運び可能な媒体を含み得る。
【００３０】
ここで、図１を参照すると、無線通信システム１００は、ここに表した様々な実施形態に従って図示されている。システム１００は、複数のアンテナ群を含む基地局１０２を有する。例えば、一つのアンテナ群はアンテナ１０４及び１０６を含み得るし、他の群はアンテナ１０８及び１１０を有し得るし、更に別な群はアンテナ１１２及び１１４を含み得る。各アンテナ群について２つのアンテナが図示されているが、各アンテナ群について、更に多くの、或いは更に少ないアンテナが用いられても良い。基地局１０２は更に、当業者に理解されるであろう信号の送受信に関する複数の要素（例えば、プロセッサ、変調器、多重化装置（multiplexer）、復調器、多重化解除装置（demultiplexer）、アンテナ等）を順に包含する、送信鎖及び受信鎖を含む。
【００３１】
基地局１０２は、接続端末１１６及び接続端末１２２といった一つ以上の接続端末と通信することができる。然し乍基地局１０２は、当然のこと乍、接続端末１１６及び１２２と同様な、実質的にいくつもの接続端末と通信できる。接続端末１１６及び１２２は、例えば、携帯電話、スマートフォン、ラップトップコンピュータ、ハンドヘルド通信機器、ハンドヘルドコンピュータ機器、衛星ラジオ、グローバルポジショニングシステム、ＰＤＡ、及び／又はその他の無線通信システム１００を介した通信に適合した機器であり得る。図示した通り、接続端末１１６は、アンテナ１１２及び１１４と通信する。ここでアンテナ１１２及び１１４は、順方向リンク１１８によって接続端末１１６に情報を送信し、逆方向リンク１２０によって接続端末１１６から情報を受信する。更に、接続端末１２２は、アンテナ１０４及び１０６と通信する。ここで、アンテナ１１２及び１１４は、順方向リンク１２４によって接続端末１２２に情報を送信し、逆方向リンク１２６によって接続端末１２２から情報を受信する。例えば、周波数分割双方向（ＦＤＤ）システムにおいて、順方向リンク１１８は、逆方向リンク１２０によって用いられる周波数帯とは異なる周波数帯を用いることができ、順方向リンク１２４は、逆方向リンク１２６によって用いられる周波数帯とは異なる周波数帯を用いることができる。更に、時分割双方向（ＴＤＤ）システムにおいては、順方向リンク１１８及び逆方向リンク１２０は、共通周波数帯を用いることができ、順方向リンク１２４及び逆方向リンク１２６は、共通周波数帯を用いることができる。
【００３２】
各アンテナ群、及び／又は通信するように指定された領域は、基地局１０２のセクターとして表され得る。例えば、アンテナ群は、基地局１０２によってカバーされる領域のセクター内の接続端末と通信するように設計され得る。順方向リンク１１８及び１２４を用いた通信において、基地局１０２の送信アンテナは、接続端末１１６及び１２２に対する順方向リンク１１８及び１２４の信号対雑音比を向上させるためのビーム型を用いることができる。また、基地局１０２は、関連するサービスエリアにランダムに散らばっている接続端末１１６及び１２２への送信するためにビーム型を用いているが、隣接セル内の接続端末は、全てのエリア内の接続端末用の一つのアンテナを通じて送信する基地局と比較して、低干渉で支配下に置かれ得る。
【００３３】
一つ以上の同期信号のタイプは、基地局１０２によって送信され得る。例えば、一次同期符号（ＰＳＣ）信号及び／又は二次同期符号（ＳＳＣ）信号は、基地局１０２によって転送され得る。一次同期符号（ＰＳＣ）信号は、初期のセル探索期間におけるセル検出に用いられる同期信号であり得るし、二次同期符号（ＳＳＣ）信号は、初期のセル探索期間におけるセルの特定に用いられる同期信号であり得る。
【００３４】
一次同期信号は、ＰＳＣ系列に基づき生成され、ＰＳＣ信号として表され得る。そのＰＳＣ系列は、定振幅ゼロ自己相関（constant amplitude zero auto correlation；ＣＡＺＡＣ）系列、擬似乱数（pseudo-random number；ＰＮ）系列等であり得る。ＣＡＺＡＣ系列の例は、Ｃｈｕ系列、Ｚａｄｏｆｆ−Ｃｈｕ系列、Ｆｒａｎｋ系列、Ｇｅｎｅｒａｌｉｚｅｄ  Ｃｈｉｒｐ−Ｌｉｋｅ（ＧＣＬ）系列等を含む。二次同期信号は、ＳＳＣ系列に基づいて生成され、ＳＳＣ信号として表され得る。このＳＳＣ系列は、最長系列（maximum-length sequence；Ｍ系列）、ＰＮ系列、二進数系列等であり得る。更に、このＰＳＣ信号は、一次同期信号、ＰＳＣ等として表され、このＳＳＣ信号は、二次同期信号、ＳＳＣ等として表され得る。
【００３５】
説明の通り、基地局１０２は、ＰＳＣ及びＳＳＣの所定の組合せを用いることができる。従って、基地局１０２は、可能性のあるＰＳＣの集合からの特定のＰＳＣを用いることができ、及び可能性のあるＳＳＣの集合からの特定のＳＳＣを用いることができる。この基地局１０２によって用いられるＰＳＣ／ＳＳＣの組合せは、接続端末１１６、１２２への対応するセルＩＤを示すことができる。例えば、無線通信環境は、約５１０個の独立したセルＩＤをサポートできる。以下のこの例では、３つの可能性のあるＰＳＣ（例えば、０、１及び２の添え字を付したＰＳＣ）が無線通信環境に用いられることができ、約１７０の可能性のあるＳＳＣが、用いられることができ、従って、結果５１０の異なるＰＳＣ／ＳＳＣの組合せを用いることができる。然し当然のこと乍、特許請求された主題はこのような例に限定されない。
【００３６】
可能性のあるセルＩＤの集合は、３つの群（例えば、３つの可能性のあるＰＳＣが無線通信環境において用いられると仮定すると、・・・）に分けることができ、ＰＳＣは、所定の基地局が所属する特定の集合に関する情報を伝送することができる。ＰＳＣは、探索接続端末（例えば、接続端末１１６、接続端末１２２、・・・）によって得られる一次信号でありえる。そのようなものとして、ＰＳＣは、その受信者である探索接続端末に、物理レイヤー情報を提供できる。更に、異なるセルＩＤ間の不調和（例えば、異なる基地局からのＳＳＣのランダム干渉、・・・）を避けるため、ＳＳＣをスクランブル化するためのスクランブル符号が用いられる。このＳＳＣに用いられるスクランブル符号は、用いられるＰＳＣの指標（例えば、送信基地局が所属する集合、・・・）と関連付けられ得る。従って、（例えば、３つの可能性のあるＰＳＣが用いられるとき、・・・）無線通信環境において用いられる３つの可能性のあるスクランブル符号が用いられる。
【００３７】
この基地局１０２によって送られるＳＳＣは、スクランブル符号の集合からの特定のスクランブル符号によってスクランブル化され得る。各スクランブル符号は、二進数系列であり得る。更に、基地局１０２で用いられるその特定のスクランブル符号は、基地局１０２で用いられるＰＳＣの関数であり得る。従って、接続端末（例えば、接続端末１１６、接続端末１２２、・・・）は、基地局１０２から受信したＰＳＣのＩＤを検出できるし、特定されたＰＳＣに対応するスクランブル符号を決定できるし、受信したＳＳＣを、決定されたスクランブル符号を用いて復号することができる。
【００３８】
例に示す通り、３つの可能性のあるスクランブル符号は、無線通信環境（例えばロング・ターム・エボリューション（Long Term Evolution；ＬＴＥ）システム、・・・）において、用いられ得る。この３つの可能性のあるスクランブル符号は、それぞれ二進数系列であり得る。更に、３つの可能性のあるスクランブル符号は、ピーク対平均電力比を最小化するように及び／又はそれらの間の相互相関最小化するように設計され得る。
【００３９】
ここで図２を参照すると、図に示されているのは、特許請求された主題の様々な態様に係る同期符号のスクランブル化の概略２００の一例である。スクランブル化されるＳＳＣ２０２が、選択され、生成され、与えられ、等され得る。ＳＳＣ２０２は、Ｍ系列に基づく二進数系列であり得る。更に、ＰＳＣ及びＳＳＣ２０２の組合せは、対応するセルＩＤを示すために基地局によって用いられ得る。例えば、この基地局で用いられるＰＳＣは、３つの可能性のあるＰＳＣのうちの一つであり得るし、ＳＳＣ２０２は、１７０個の可能性のあるＳＳＣのうちの一つであり得る。
【００４０】
更に、ＰＳＣに対応するスクランブル符号２０４は、選択され、生成され、与えられ、等され得る。スクランブル符号２０４は、基地局で用いられるＰＳＣの指標と関連付けられ得る。従って、無線通信環境が３つの可能性のあるＰＳＣの使用をサポートすると仮定すれば、３つの可能性のあるスクランブル符号は、用いられ得る（例えば、スクランブル符号２０４は、３つの可能性のあるスクランブル符号のうちの一つであり得る、・・・）。
【００４１】
２０６において、ＳＳＣ２０２及びスクランブル符号２０４は、スクランブル化され得る。例えば、ＳＳＣ２０２及びスクランブル符号２０４は、スクランブル化されたＳＳＣを生成するため掛け合わせられ得る。更に２０８において、スクランブル化されたＳＳＣ（例えば、ＳＳＣ２０２及びスクランブル符号２０４の組合せ、・・・）は、チャネルを通して送信するために、基調（例えば、副搬送波、・・・）に写像され得る。
【００４２】
様々なスクランブル符号の設計は、特許請求された主題と関連して用いられる。例えば、３つの可能性のあるスクランブル符号は、それぞれ３つの異なる生成多項式（例えば、本質的に異なる循環シフト多項式、・・・）のうちの一つによって生成された、３つの異なるＭ系列を基盤にしたスクランブル符号に基づき得る。以下の例では、３つの長さ６３のＭ系列を基盤にしたスクランブル符号は、３つの異なる生成多項式に基づいて、生成され得るし、３つの長さ６３のＭ系列のそれぞれを基盤にしたスクランブル符号の１ビットは、切り捨てられ又はパンクチャードされ得る。別の例では、３つの長さ３１のＭ系列を基盤としたスクランブル符号は、３つの異なる生成多項式に基づいて生成される。このようなシナリオでは、実際のスクランブル符号の長さは、要求される長さ（例えば、ＳＳＣ２０２、・・・の長さ）よりも短くなり得る。従って、３つの長さ３１のＭ系列を基盤としたスクランブル符号のそれぞれは、それらのそれぞれのコピーと連結されても良い。例えば、長さ３１のＭ系列を基盤としたスクランブル符号のそれぞれは、長さ６２のスクランブル符号となる様にそれ自身を繰り返しても良い。
【００４３】
別の例に依れば、３つの可能性のあるスクランブル符号はそれぞれ、共通のＭ系列に基づいても良い。同じＭ系列の３つの異なる循環シフト（例えば、オフセット、・・・）が、３つの可能性のあるスクランブル符号を生成する為に用いられ得る。Ｍ系列は、共通の生成多項式（例えば、循環シフト多項式、・・・）から生成され得る。更に、３つの循環シフトは、３つのスクランブル符号を生成する為に用いられ得る。例えば、循環シフトは、０、５、及び５０であり得る。更なる例に依れば、循環シフトは、０、１０、及び２０であり得る。然し乍、特許請求された主題は、いかなる３つの循環シフトを用いることもできるので、前述の例に限定されない。更に、例えば、３つの長さ６３のスクランブル符号は、用いられる３つの循環シフトに基づいて生成され得るし、３つの長さ６３のスクランブル符号それぞれの１ビットは、切り捨てられ又はパンクチャードされ得る。或いは、３つの長さ３１のスクランブル符号は、用いられる３つの循環シフトに基づいて生成され得るし、長さ３１のスクランブル符号のそれぞれは、３つの長さ６２のスクランブル符号を生成するために、それ自身が繰り返され得る。
【００４４】
更なる例に依れば、その３つの可能性のあるスクランブル符号は、３つの可能性のあるＰＳＣのうちのそれぞれ一つの二進数近似に基づき得る。それぞれのＰＳＣは、Ｚａｄｏｆｆ−Ｃｈｕ（ＺＣ）系列より生成され得る。ＰＳＣの二進数近似は、ＰＳＣに含まれるそれぞれの複素数のＩ値及びＱ値の１又は−１への量子化を含み、対応するスクランブル符号を生成し得る。例えば、０．５＋０．７ｊといったＰＳＣに含まれる複素数は、１＋ｊと近似され、一方、−０．１＋０．４ｊといった第２複素数は、−１＋ｊと近似される。更に、結果として得られるスクランブル符号の長さは、ここに記載されるように調整され得る（例えば、ビットの切り捨て及び／又はパンクチャードによって減少される、スクランブル符号の繰り返し化によって増加される、・・・）。
【００４５】
別の例に従うと、３つの可能性のあるスクランブル符号はそれぞれ、３つの異なるＧｏｌａｙ相補系列のうちのそれぞれ一つに基づき得る。Ｇｏｌａｙ相補系列は、例えば、２Ｍビット長であり得る。ここで、Ｍは自然数である。従って、それぞれのＧｏｌａｙ相補系列は、必要ならば、Ｎビット長に切り捨てられ得る。この例に依れば、それぞれのＧｏｌａｙ相補系列が６３ビットであるべきならば、６４ビットのＧｏｌａｙ相補系列が生成され、それぞれの系列に対して１ビットの切り捨てを行うことで、可能性のあるＳＳＣのサイズに適合した３つのＧｏｌａｙ相補系列が生成し得る。更に、それぞれの系列の実際の長さが、その系列に要求される長さよりも短い場合には、Ｇｏｌａｙ相補系列のそれぞれは、繰り返し化され得る。
【００４６】
図３を参照すると、図に描かれているのは、無線通信環境における二次同期符号のためにスクランブル符号を用いることができるシステム３００である。システム３００は、情報、信号、データ、指令、命令、ビット、シンボルなどを送信及び／又は受信することができる基地局３０２を含む。基地局３０２は、順方向リンク及び／又は逆方向リンクを介して接続端末３０４と通信することができる。接続端末３０４は、情報、信号、データ、指令、命令、ビット、シンボル等を送信及び／又は受信をすることができる。図示しないが、システム３００は、当然のこと乍、基地局３０２の様な本質的に異なる幾つかの基地局及び／又は接続端末３０４の様な本質的に異なる幾つかの接続端末を含み得る。
【００４７】
基地局３０２は更に、ＰＳＣセレクター３０６、ＳＳＣセレクター３０８、スクランブル符号セレクター３１０及び符号器３１２を含み得る。ＰＳＣセレクター３０６は、ＩＤを取得でき、及び／又は基地局３０２によって用いられるＰＳＣを生成できる。例えば、ＰＳＣは、ＰＳＣセレクター３０６によって可能性のあるＰＳＣの集合（例えば、この集合は３つの可能性のあるＰＳＣであり得る、・・・）から特定され得る。更に、ＰＳＣは、ダウンリンク上を（例えば、接続端末３０４、・・・に）送信され得る。
【００４８】
更に、ＳＳＣセレクター３０８は、基地局３０２で用いられるＳＳＣを、取得でき、特定でき、及び／又は生成できる。ＳＳＣは、ＳＳＣセレクター３０８によって、可能性のあるＳＳＣの集合（例えば、この集合は１７０個の可能性のあるＳＳＣを含み得る、・・・）から特定され得る。更に、ＰＳＣセレクター３０６によって使用のために選択されたＰＳＣ、及びＳＳＣセレクター３０８によって使用のために選択されたＳＳＣの組合せは、基地局３０２に関するセルＩＤを示すために用いられ得る。更に別の例に依れば、特許請求された主題はこれに限定されないが、当然のこと乍、基地局３０２で用いられるＰＳＣ及びＳＳＣは、予め定義され得る。
【００４９】
スクランブル符号セレクター３１０は、基地局３０２で用いられるために、スクランブル符号の集合から特定のスクランブル符号を選択することができる。例えば、スクランブル符号セレクター３１０によって特定されたスクランブル符号は、基地局３０２で用いるために、ＰＳＣセレクター３０６によって特定されたＰＳＣと関連付けられ得る。更に、（例えば、３つの可能性のあるＰＳＣが無線通信環境において使われると仮定すると、・・・）３つの可能性のあるスクランブル符号のうちの一つは、スクランブル符号セレクター３１０によって選択され得る。
【００５０】
３つの可能性のあるスクランブル符号は、例えば、予め定義され得る（例えば、基地局３０２、本質的に異なる（図示しない）（一又は複数の）基地局、接続端末３０４、及び本質的に異なる（図示しない）（一又は複数の）接続端末は、３つの可能性のあるスクランブル符号の演繹的知識を有し得る、・・・）。加えて又は代わりに、スクランブル符号セレクター３１０は、３つの可能性のあるスクランブル符号を生成し得る。一例に依れば、３つの可能性のあるスクランブル符号は、３つの異なる多項式から生成された３つの異なるＭ系列を含み得る。以下の別の例に依れば、３つの可能性のあるスクランブル符号は、それぞれがそのＭ系列と関連する、異なる循環シフトを伴った同一のＭ系列から生成され得る。更に別の例に依れば、３つの可能性のあるスクランブル符号は、それぞれ、対応する３つの可能性のあるＰＳＣの一つの二進数近似に、それぞれ基づき得る。また別の例に依れば、３つの可能性のあるスクランブル符号は、３つの異なるＧｏｌａｙ相補系列（例えば、ＳＳＣの長さにあわせるためＧｏｌａｙ相補系列の長さを揃えるように１ビットの切り捨て、・・・）に基づき得る。更に、３つの可能性のあるスクランブル符号は、ピーク対平均電力比の最適化及び異なる符合間の相互相関の軽減をするように設計され得る。更に、スクランブル符号セレクター３１０は、選択されたスクランブル符号の長さを変化（例えば、ビットの切り捨て及び／又はパンクチャードによる減少、スクランブル符号の繰り返し化による増加、・・・）させ得る。
【００５１】
更に、符号器３１２は、ＳＳＣをスクランブル化するために、スクランブル符号セレクター３１０によって選択されたスクランブル符号を用いることができる。別の例に依れば、符号器３１２は、ＳＳＣを形成するために、短いＭ系列（例えば、それぞれ長さ３１、・・・）をインターリーブすることができる。以下の例では、符号器３１２は、ＳＳＣを形成するために、スクランブル符号の前又は後に短いＭ系列をインターリーブすることができることが意図されている。更に、スクランブル化されたＳＳＣは、ダウンリンクによって（例えば、接続端末３０４、・・・に）送信され得る。
【００５２】
接続端末３０４は、ＰＳＣ復号器３１４、スクランブル符号識別子３１６、及びＳＳＣ復号器３１８を更に含み得る。ＰＳＣ復号器３１４は、ＰＳＣのＩＤを認識する（例えば、ＰＳＣと関連する指標を決定する、３つの可能性のあるＰＳＣのうちの一つにＰＳＣを適合させる、・・・）ために、基地局３０２から受信したＰＳＣを評価できる。識別されたＰＳＣ指標に基づいて、スクランブル符号識別子３１６は、基地局３０２で使われているスクランブル符号（例えば、スクランブル符号セレクター３１０によって選択され、ＳＳＣをスクランブル化するために符号器３１２で用いられ、・・・）を特定できる。従って、スクランブル符号識別子３１６は、システム３００で用いられる３つの可能性のあるスクランブル符号の演繹的知識を有し得る。加えて又は代わりに、スクランブル符号識別子３１６は、例えば、３つの可能性のあるスクランブル符号を生成するためにスクランブル符号セレクター３１０によって利用されているのと実質的に同様な方法によって、３つの可能性のあるスクランブル符号を生成し得る。更に、ＳＳＣ復号器３１８は、ＳＳＣのＩＤを決定する（例えば、ＳＳＣと関連する指標を決定し、１７０個の可能性のあるＳＳＣのうちの一つをＳＳＣに適合させ、・・・）ために基地局３０２から受信したスクランブル化されたＳＳＣを復号することに、特定されたスクランブル符号を用いることができる。基地局３０２で用いられるＰＳＣ及びＳＳＣのＩＤの決定に基づいて、接続端末３０４は、基地局３０２に対応したセルＩＤを解読することができる。タイミング、系列等に関する更なる情報もまた、決定されたＰＳＣ及びＳＳＣのＩＤに基づいて得られ得る。
【００５３】
以下は、特許請求された主題に関する様々な態様を概説し得る。例えば、システム３００は、汎用パケット無線システム（General Packet Radio Service；ＧＰＲＳ）の一部となり得る。ＧＰＲＳシステムは、インターネット・プロトコル（ＩＰ）パケットの送信のためにＧＳＭ接続端末で使われているユビキタス無線通信システムである。ＧＰＲＳ基幹回線網（ＧＰＲＳ基幹回線網の統合された部分）は、広帯域符号分割多重接続（Wideband Code Division Multiple Access；ＷＣＤＭＡ）を基盤とする３Ｇ通信網のためにサポートを提供する、ＧＰＲＳシステムの一部である。ＧＰＲＳ基幹回線網は、移動性管理、セッション管理、及びＧＳＭ及びＷＣＤＭＡ通信網におけるインターネットプロトコルパケットサービスのための伝送を提供することができる。
【００５４】
ＧＰＲＳトンネリングプロトコル（GPRS Tunneling Protocol；ＧＴＰ）は、ＧＰＲＳ基幹回線網のＩＰプロトコルの一つである。ＧＴＰは、ＧＳＭ又はＷＣＤＭＡ通信網のエンド・ユーザーに、特定のゲートウェイＧＰＲＳサポートノード（Gateway GPRS Support Node；ＧＧＳＮ）における一つの位置からであるように、インターネットへの接続に連続するものではあるものの、あちこちへの移動を可能にさせる。これは、加入者データを、加入者の現在のサービングＧＰＲＳサポートノード（Serving GPRS Support Node；ＳＧＳＮ）から、加入者のセッションを取り扱うＧＧＳＮへ、伝えることで行われる。ＧＴＰの３つの形式は、（１）それぞれのパケット・データ・プロトコル（packet data protocol；ＰＤＰ）の前後関係の為に、分割されたトンネル内でユーザーのデータの伝送するためのＧＴＰ−Ｕ、（２）ＰＤＰの前後関係のセットアップ及び削除、並びに加入者が一つのＳＧＳＮから他のそれへ移動することによるＧＳＮ到達可能性の更新の検証といった、制御根拠のためのＧＴＰ−Ｃ、そして、（３）ＧＳＮから課金機能への課金データの移送のためのＧＴＰ’、を含むＧＰＲＳ基幹回線網によって用いられる。
【００５５】
ＧＰＲＳサポートノード（GPRS Support Node；ＧＳＮ）は、ＧＳＭ基幹回線網におけるＧＰＲＳの使用をサポートするネットワークノードである。ゲートウェイＧＰＲＳサポートノード（Gateway GPRS Support Node；ＧＧＳＮ）及びサービングＧＰＲＳサポートノード（Serving GPRS Support Node；ＳＧＳＮ）を含むＧＳＮの２つの重要な変形がある。
【００５６】
ＧＧＳＮは、ＧＰＲＳ基幹回線と外部パケットデータ通信網（例えば、無線通信網及びＩＰネットワーク）との間のインターフェースを提供することができる。それは、ＳＧＳＮから来るＧＰＲＳパケットを、適切なパケット・データ・プロトコル（packet data protocol；ＰＤＰ）形式（例えば、ＩＰ又はＸ．２５）に転換し、転換したパケットを、対応するパケットデータネットワークに送信することができる。それ以外の方向として、入ってきたデータパケットのＰＤＰアドレスは、送り先のユーザーのＧＳＭアドレスへ転換され得る。そして、宛名を書き換えられたパケットは、信頼できるＳＧＳＮへ送信され得る。このため、ＧＧＳＮは、ユーザーの現在のＳＧＳＮアドレス、及びその位置レジスタ内の彼又は彼女のプロファイルを記憶することができる。ＧＧＳＮは、ＩＰアドレス割当てを提供でき、一般に、特定の接続端末（例えば、接続端末３０４、・・・）のための初期ルータとなる。
【００５７】
一方で、ＳＧＳＮは、その地理的なサービスエリア内の接続端末からの／へのデータパケットの配信を担うことができる。ＳＧＳＮのタスクは、パケットルーティング、並びに伝送、移動性管理、論理結合管理、データ確認、及び課金機能を含み得る。
【００５８】
ＧＰＲＳトンネリングプロトコルのユーザー・プレーン（ＧＴＰ−Ｕ）レイヤーは、ユーザー・プレーン（ＧＴＰ−Ｕ）上で用いられることができ、パケット交換方式領域内でユーザーのデータを送信するために用いることができる。ユニバーサル移動通信システム（Universal Mobile Telecommunication System；ＵＭＴＳ）におけるパケット交換ネットワークは、ＧＰＲＳに基づいており、従って、ＧＴＰ−Ｕもまた、ＵＭＴＳにおいて用いられ得る。ＵＭＴＳは、第３世代携帯電話技術の一つである。ＵＭＴＳは、時には、その第３世代バックグラウンド及び後継用に設計されたＧＳＭ規格の両方を言外にほのめかす、３ＧＳＭとして表される。
【００５９】
ここに記載する通り、同期信号は、基地局（例えば、基地局３０２、・・・）によって送信され得る。ＬＴＥでは、５１０の固有の物理レイヤーセルＩＤがある。この物理レイヤーセルＩＤは、それぞれ３つの固有のＩＤを有する１７０個の固有の物理レイヤーセルＩＤ群にグループ分けすることができる。このグループ分けは、それぞれの物理レイヤーセルＩＤが一つの部分、そしてただ一つの物理レイヤーセルＩＤ群と成り得るように為される。従って、一つの物理レイヤーセルＩＤは、物理レイヤーセルＩＤ群を表す０から１６９の間の数字（例えば、ＳＳＣセレクター３０８によって選択され、ＳＳＣ復号器３１８によって認識され、・・・）、及び物理レイヤーセルＩＤ群内の物理レイヤーＩＤを表す０から２の間の数字（例えば、ＰＳＣセレクター３０６によって特定され、ＰＳＣ復号器３１４によって認識され、・・・）で固有に定義され得る。
【００６０】
一次同期符号（ＰＳＣs）は、一般にシンボルタイミング検出に用いられる。
【００６１】
例えば、基地局（例えば、基地局３０２、・・・）が、多数の接続端末（例えば、接続端末３０４、いくつもの本質的に異なる（図示しない）（一つ又は複数の）接続端末、・・・）に、基地局によって送信されるメッセージのシンボルタイミングを決定することを可能にするために、ＰＳＣを使うことができる。
【００６２】
一般に、セルにおける一次同期符号に用いる系列は、（例えば、ＰＳＣセレクター３０６によって、・・・）物理レイヤーセルＩＤ内の３つの物理レイヤーセルＩＤと一次同期信号に用いられる３つの系列との１対１写像を有する３つの異なる系列の集合から、選択され得る。系列ｄ（ｎ）は、一次同期符号に用いられ、
【数１】
0005490705.tif 000002
【００６３】
で表される周波数領域Ｚａｄｏｆｆ−Ｃｈｕ（ＺＣ）系列から生成され得る。ここで、Ｚａｄｏｆｆ−Ｃｈｕルート系列インデックスｕは以下で与えられる。物理レイヤーセルＩＤ群内の物理レイヤーセルＩＤが０は、ルートインデックスｕが２５に対応し、物理レイヤーセルＩＤ群内の物理レイヤーセルＩＤが１は、ルートインデックスｕが２９に対応し、物理レイヤーセルＩＤ群内の物理レイヤーセルＩＤが２は、ルートインデックスｕが３４に対応し得る。
【００６４】
リソース要素への系列の写像（例えば、ＰＳＣ、・・・）は、フレーム構造に依存する。様々な実施形態において、一次同期信号の送信のために用いられるアンテナポートは、特定されなくて良い。
【００６５】
第１のフレーム構造には、一次同期信号は、スロット０及び１０で送信され得るし、系列ｄ（ｎ）は、
【数２】
0005490705.tif 000003
【００６６】
によって表されるリソース要素へ写像され得る。スロット０及び１０のリソース要素（ｋ，ｌ）は、予約されており、一次同期信号の送信には用いられない。ここで
【数３】
0005490705.tif 000004
【００６７】
である。
【００６８】
第２のフレーム構造には、一次同期信号は、ＤｗＰＴＳフィールドで送信され得る。
【００６９】
二次同期符号（ＳＳＣ）は、ＰＳＣと比較して高いレベルにおいて様々な無線機器を同期させるために、用いられ得る。例えば、基地局（例えば、基地局３０２、・・・）は、接続端末（例えば、接続端末３０４、（図示しない）その他本質的に異なる接続端末、・・・）に、フレーム境界及びスーパーフレーム・ビーコンのタイミングを決定させられる様に、ＳＳＣを用いることができる。
【００７０】
様々な実施形態において、二次同期符号に用いられる系列は、例えばｘ５＋ｘ２＋１といった、循環シフト多項式によって生成された１つの長さ３１のＭ系列の循環シフトとして得られた２つの長さ３１の二進数系列の連鎖にインターリーブされ得る。この連結された系列は、（例えば、それぞれの一次同期符号が対応するスクランブル符号に１対１の関係を有し得る、・・・）一次同期符号によって与えられたスクランブル符号を用いて、スクランブル化される。
【００７１】
（例えば、ＳＳＣ、・・・）系列のリソース要素への写像は、フレーム構造に依存し得る。サブフレームにおいて、一次同期符号のためとしての同一のアンテナポートは、二次同期符号に用いられ得る。
【００７２】
第１のフレーム構造には、二次同期符号は、スロット０及び１０で送信され得るし、系列ｄ（ｎ）は、
【数４】
0005490705.tif 000005
【００７３】
によって表されるリソース要素に写像され得る。スロット０及び１０のリソース要素（ｋ，ｌ）は、予約されており、二次同期符号の送信には用いられない。ここで、
【数５】
0005490705.tif 000006
【００７４】
第２のフレーム構造には、二次同期信号は、サブフレーム０の最後のＯＦＤＭシンボルで送信される。
【００７５】
図４乃至６には、無線通信環境における二次同期符号のスクランブル化のための、ピーク対平均電力比及び／又は相互相関を最適化する、スクランブル符号の使用と関連する手順が示されている。説明の簡単化のため、動作の連続として手順が示され記載されているが、この手順は、動作の順に限定されず、一つ以上の実施形態に依れば、幾つかの動作は、ここに示され記載されているものとは異なる順序で及び／又は他の動作と一斉に成され得ることを当然のこと乍、理解されたい。例えば、技術に精通していれば当然に分かる通り、手順は、状態図といった様に、相互に関係ある状態又は事象の連続として代わりに表示され得る。更に、一つ以上の実施形態に依れば、示された全ての手順が実行されることを要するわけではない。
【００７６】
図４を参照すると、図示されているのは、無線通信環境における同期符号のスクランブル化を促進する手順４００である。４０２において、スクランブル符号は、一次同期符号（ＰＳＣ）の指標の関数として、可能性のあるスクランブル符号の集合から、選択される。この集合内の可能性のあるスクランブル符号は、ピーク対平均電力比を最小化し、相互相関を最小化する様に設計されている。ある例に依れば、ＰＳＣは、可能性のあるＰＳＣの集合から選択され得る。更に、ＰＳＣは送信され得る。
【００７７】
この集合内の可能性のあるスクランブル符号は、生成されるか予め用意されるか等をされ得る。一例に依れば、この集合内の可能性のあるスクランブル符号はそれぞれ、それぞれ異なる生成多項式（例えば、異なる循環シフト多項式、・・・）から生成された、異なるＭ系列に基づく。他の例に依れば、この集合内の可能性のあるスクランブル符号はそれぞれ、異なる循環シフトを伴う、共通の生成多項式（例えば、共通の循環シフト多項式、・・・）から生成される共通のＭ系列に基づき得る。更なる例に依れば、集合内の可能性のあるスクランブル符号は、Ｚａｄｏｆｆ−Ｃｈｕ（ＺＣ）系列から生成され得る、可能性のあるＰＳＣの集合からのそれぞれのＰＳＣの二進数近似に基づき得る。この二進数近似は、例えば、ＰＳＣにおける複素数のＩ値及びＱ値の１又は−１への量子化を含み得る。更に別の例に依れば、スクランブル符号はそれぞれ、それぞれのＧｏｌａｙ相補系列に基づき得る。更に、一つ以上の可能性のあるスクランブル符号の長さは、調整され得る。例えば、その長さは、ビットの切り捨て又はパンクチャードによる短縮化され得るし、及び／又は、その長さは、可能性のあるスクランブル符号の繰り返し化により増加し得る。
【００７８】
４０４において、二次同期符号（ＳＳＣ）は、選択されたスクランブル符号によってスクランブル化され得る。例えば、このＳＳＣ及びスクランブル符号は、掛け合わされ得る。また別の例に依れば、このＳＳＣは、可能性のあるＳＳＣの集合から選択され得る。４０６において、スクランブル化されたＳＳＣは送信され得る。
【００７９】
図５に移ると、描かれているのは、無線通信環境における受信した同期符号のスクランブル解除を促進する手順５００である。５０２において、受信した一次同期符号（ＰＳＣ）は、ＰＳＣ指標を特定するために復号され得る。例えば、受信されたＰＳＣは、可能性のあるＰＳＣの集合からの１つのＰＳＣの適合させるため認識され得るし、ＰＳＣ指標は、この適合するＰＳＣに対応し得る。
【００８０】
５０４において、可能性のあるスクランブル符号の集合からの基地局で用いられるスクランブル符号は、ＰＳＣ指標の関数として認識され得る。更に、集合内の可能性のあるスクランブル符号は、ピーク対平均電力比を最小化し、相互相関を最小化する様に設計され得る。集合内の可能性のあるスクランブル符号は、生成されるか予め用意されるか等をされ得る。一例に依れば、集合内の可能性のあるスクランブル符号はそれぞれ、異なる生成多項式（例えば、異なる循環シフト多項式、・・・）から生成される、それぞれ異なるＭ系列に基づき得る。別の例に依れば、集合内の可能性のあるスクランブル符号はそれぞれ、異なる循環シフトを伴う、共通の生成多項式（例えば、共通の循環シフト多項式、・・・）から生成される共通のＭ系列に基づき得る。更に別の例に依れば、集合内の可能性のあるスクランブル符号は、Ｚａｄｏｆｆ−Ｃｈｕ（ＺＣ）系列から生成され得る可能性のあるＰＳＣの集合からのそれぞれのＰＳＣの二進数近似に基づき得る。この二進数近似は、例えば、ＰＳＣにおける複素数のＩ値及びＱ値の１又は−１への量子化を含み得る。更に別の例に依れば、スクランブル符号はそれぞれ、それぞれのＧｏｌａｙ相補系列に基づき得る。更に、一つ以上の可能性のあるスクランブル符号の長さは、調整され得る。例えば、その長さは、ビットの切り捨て又はパンクチャードにより短縮化され得るし、及び／又は、その長さは、可能性のあるスクランブル符号の繰り返し化により増加し得る。
【００８１】
５０６において、受信された二次同期符号（ＳＳＣ）は、基地局で用いられるスクランブル符号を使って復号され得る。例えば、受信されたＳＳＣは、スクランブル化され得るし、基地局で用いられるスクランブル符号は、受信されたＳＳＣのスクランブル解除に利用され得る。
【００８２】
当然のこと乍、ここに記載された一つ以上の態様に依れば、無線通信環境における二次同期符号のスクランブル化、及び／又はスクランブル解除について推論され得る。ここで、「推論する」又は「推論」という言葉は、一般に、事象及び／又はデータを介して補足された観察結果の集合から、システム、環境、及び／又はユーザーの状態を、推論する処理、又は推論することを表す。推論は、例えば、特定の前後関係又は動作を特定するために用いられ得るし、状態に係る確率分布を生成できる。推論は、確率的、即ち、データ及び事象の考察に基づく関心ある状態に係る確率分布の計算であり得る。推論は、事象及び／又はデータの集合から、高いレベルの事象を構成するものが用いられる技術を表し得る。その様な推論は、その事象が、接近した時間的近接と相関性があるか否かに関わらず、そして、事象及びデータが、一つ又は複数の事象及びデータ源から来るか否かに関わらず、新観察された事象及び／又は保存された事象のデータの集合からの新しい事象又は動作の構築に到る。
【００８３】
一例に依れば、上述の一つ以上の方法は、ＳＳＣのスクランブル化又はスクランブル解除に用いられる、スクランブル符号の長さの決定に関連する推論の作成を含み得る。更なる説明に依れば、推論は、用いるのに最適な、可能性のあるスクランブル符号の集合の決定に関して作成され得る。当然のこと乍、前述の例は、事実上説明的であり、様々な実施形態及び／又はここに記載する方法と結合され、作成され得る推論又は方法の数を限定することを意図するものではない。
【００８４】
図６は、無線通信システムにおける基地局によって用いられるスクランブル符号を特定する接続端末６００を示す図である。接続端末６００は、例えば、（図示しない）受信アンテナから信号を受信し、受信された信号について標準的な動作（例えば、フィルタリング、増幅、ダウンコンバート、等）を行い、標本を取得するために調整済みの信号を二値化する、受信器６０２を有する。受信器６０２は、例えば、ＭＭＳＥ受信器であり得るし、受信したシンボルを復調し、チャネル推定のためプロセッサ６０６にそれらを供給し得る、復調器６０４を有し得る。プロセッサ６０６は、受信器６０２で受信された情報を解析する、及び／又は送信器６１６で送信するために情報を生成する、専用のプロセッサであり得る。ここで、一つ以上の接続端末６００の構成要素を制御するプロセッサ、及び／又は受信器６０２によって受信された信号を解析するプロセッサは、送信器６１６によって送信される情報を生成し、一つ以上の接続端末６００の構成要素を制御する。
【００８５】
接続端末６００は、動作可能なようにプロセッサ６０６と結合し、送受信されるデータ、及び前記した様々な動作及び機能を実施することに係る適切な情報を保存することができる、メモリ６０８を更に有し得る。メモリ６０８は、例えば、基地局から取得した受信した同期符号（例えば、（一又は複数の）ＰＳＣ、（一又は複数の）ＳＳＣ、・・・）を解析することに係るプロトコル及び／又はアルゴリズムを保存できる。更に、メモリ６０８は、（例えば、受信された（一又は複数の）ＰＳＣの評価に基づく、・・・）（一又は複数の）同期符号及び／又はその認識されたスクランブル符号を活用することで、その様な基地局から得られるスクランブル解除（一又は複数の）ＳＳＣを送信する基地局で用いられるスクランブル符号の認識に係るプロトコル及び／又はアルゴリズムを保存できる。
【００８６】
当然のこと乍、このここに記載したデータ蓄積（例えば、メモリ６０８）は、揮発性メモリ又は不揮発性メモリであり得るし、また、揮発性メモリ及び不揮発性メモリを共に含み得る。この説明では、これに限定されないが、不揮発性メモリは、読み出し専用メモリ（read only memory；ＲＯＭ）、プログラマブルＲＯＭ（programmable ROM；ＰＲＯＭ）、消去可能ＰＲＯＭ（electrically programmable ROM；ＥＰＲＯＭ）、電気的消去・書込み可能ＰＲＯＭ（electrically erasable PROM；ＥＥＰＲＯＭ）、又はフラッシュメモリを含み得る。揮発性メモリは、外部キャッシュメモリとして作動するランダム・アクセス・メモリ（random access memory；ＲＡＭ）を含み得る。この例では、これに限定されないが、ＲＡＭは、同期型ＲＡＭ（synchronous RAM；ＳＲＡＭ）、ダイナミックＲＡＭ（dynamic RAM；ＤＲＡＭ）、同期型ＤＲＡＭ（synchronous DRAM；ＳＤＲＡＭ）、ダブルデータレートＳＤＲＡＭ（double data rate SDRAM；ＤＤＲ  ＳＤＲＡＭ）、改良型ＳＤＲＡＭ（enhanced SDRAM；ＥＳＤＲＡＭ）、シンクリンクＤＲＡＭ（Synchlink DRAM；ＳＬＤＲＡＭ）、及びダイレクトランバスＲＡＭ（direct Rambus RAM；ＤＲＲＡＭ）といった様々な形態を取り得る。対象システム及び方法のメモリ６０８は、限定されることは無いが、これら及びその他の適切なメモリのタイプを有することを意図する。
【００８７】
受信器６０２は更に、同期符号復号器６１０及び／又はスクランブル符号識別子６１２と動作可能なように結合されている。接続端末６００は、同期符号復号器６１０を含むが、当然のこと乍、接続端末は、図３のＰＳＣ復号器３１４、及び／又は図３のＳＳＣ復号器３１８を含み得る（及び／又は同期符号復号器６１０は、ＰＳＣ復号器３１４及び／又はＳＳＣ復号器３１８と実質的に同様であり得る）。更に、スクランブル符号識別子６１２は、図３のスクランブル符号識別子３１６と実質的に同一であり得る。同期符号復号器６１０は、受信したＰＳＣ及び／又はＳＳＣを評価できる。例えば、同期符号復号器６１０は、受信したＰＳＣと関連するＰＳＣ指標を特定できる。更に、スクランブル符号識別子６１２は、この特定されたＰＳＣ指標に対応するスクランブル符号を決定できる。従って、同期符号復号器６１０は、受信された、決定されたスクランブル符号を活用してスクランブル化されたＳＳＣをスクランブル解除できる。接続端末６００は更に、変調器６１４、及び、例えば基地局、他の接続端末等に信号を送信する送信器６１６を有する。プロセッサ６０６と別に描かれているが、当然のこと乍、同期符号復号器６１０、スクランブル符号識別子６１２、及び／又は変調器６１４は、プロセッサ６０６、又は（図示しない）複数のプロセッサの一部であり得る。
【００８８】
図７は、無線通信環境においてスクランブル符号を用いるＳＳＣをスクランブル化するシステム７００を表す図である。システム７００は、複数の受信アンテナ７０６を通じて一つ以上の接続端末７０４から信号を受信する受信器７１０、及び送信アンテナ７０８を通じて一つ以上の接続端末７０４に送信する送信器７２４を有する、基地局７０２（例えば、アクセス・ポイント、・・・）を含む。受信器７１０は、受信アンテナ７０６から情報を受信でき、受信した情報を復号する復調器７１２と動作可能なように関連している。復調されたシンボルは、図６を参照して説明下プロセッサと類似であり得るし、（一又は複数の）接続端末７０４（又は、（図示しない）本質的に異なる基地局）と送受信されるデータ、及び／又はここに上記した様々な動作及び機能を実施することに関連するその他の適切な情報を保存するメモリ７１６と結合されている、プロセッサ７１４によって解析される。プロセッサ７１４は更に、基地局７０２によって使用される可能性のあるスクランブル符号の集合からのスクランブル符号を選択できる、スクランブル符号セレクター７１８と連結している。スクランブル符号セレクター７１８は、基地局７０２で用いられる（例えば、ＰＳＣの集合からの、・・・）ＰＳＣに基づいて、スクランブル符号を選択できる。更に、可能性のあるスクランブル符号は、それらの間の相互相関を減少させながらピーク対平均電力比を軽減させる最適化をできる。更に、基地局７０２は、スクランブル符号セレクター７１８によって選択されるスクランブル符号を用いるＳＳＣをスクランブル化できる符号器７２０も加えて含み得る。当然のこと乍、符号器７２０は、図３の符号器３１２と本質的に同様であり得る。更に、図示していないが、基地局７０２は、図３のＰＳＣセレクター３０６と本質的に同様なＰＳＣセレクター、及び／又は図３のＳＳＣセレクター３０８と本質的に同様なＳＳＣセレクターを含み得ることが意図されている。更に、符号器７２０は、変調器７２２へ送信されるスクランブル化されたＳＳＣを提供できる。変調器７２２は、送信器７２４による、アンテナ７０８を通じた（一又は複数の）接続端末７０４への送信のためのフレームを多重化し得る。プロセッサ７１４と別に描かれているが、当然のこと乍、スクランブル符号セレクター７１８、符号器７２０、及び／又は変調器７２２は、プロセッサ７１４又は（図示しない）複数のプロセッサの一部であり得る。
【００８９】
図８は、無線通信システム８００の一例を示す。この無線通信システム８００は、簡単のため、１つの基地局８１０及び１つの接続端末８５０を描いている。然し乍、当然のこと乍、システム８００は、一つ以上の基地局及び／又は一つ以上の接続端末を含むことができる。ここで他の基地局及び／又は接続端末は、本質的に同様又は上記の基地局８１０及び接続端末８５０の例と異なる。更に、当然のこと乍、基地局８１０及び／又は接続端末８５０は、それらの間の無線通信を促進する、ここに記載したシステム（図１−３、６−７、及び９−１０）及び／又は方法（図４−５）を用いることができる。
【００９０】
基地局８１０において、多くのデータストリームのためのトラヒックデータは、データ送信装置８１２から送信（transmit；ＴＸ）データ処理装置８１４へ、供給される。一例に依れば、それぞれのデータストリームは、それぞれのアンテナを介して、送信され得る。ＴＸデータ処理装置８１４は、符号化されたデータを提供するため、そのデータストリーム用に選択された特定のコード体系に基づいて、トラヒックデータストリームを初期化し、符号化し、インターリーブする。
【００９１】
データストリームのための符号化されたデータは、直交周波数分割多重化（orthogonal frequency division multiplexing；ＯＦＤＭ）技術を用いたパイロットデータによって多重化され得る。加えて又は代わりに、そのパイロットシンボルは、周波数分割多重化（frequency division multiplexed；ＦＤＭ）、時分割多重化（time division multiplexed；ＴＤＭ）、又は符号分割多重化（code division multiplexed；ＣＤＭ）され得る。そのパイロットデータは、一般的には、公知の方法で処理され、チャネル応答を評価するために接続端末８５０で用いられる、データパターンとして知られている。それぞれのデータストリームのための多重化されたパイロット及び符号化されたデータは、変調シンボルを提供するため、そのデータストリームのために選択された特定の変調方式（例えば、二相位相変調（binary phase-shift keying；ＢＰＳＫ）、四相位相変調（quadrature phase-shift keying；ＱＰＳＫ）、Ｍ相位相変調（M-phase-shift keying；Ｍ−ＰＳＫ）、Ｍ直交振幅変調（M-quadrature amplitude modulation；Ｍ−ＱＡＭ）等）に基づいて、変調（例えば、シンボル写像）され得る。それぞれのデータストリームのための、データ転送速度、符号化、及び変調は、プロセッサ８３０によって処理又は提供される命令によって決定され得る。
【００９２】
そのデータストリームのための変調シンボルは、（例えば、ＯＦＤＭのために）変調シンボルを更に処理できるＴＸ  ＭＩＭＯ処理装置８２０に提供され得る。そして、ＴＸ  ＭＩＭＯ処理装置８２０は、ＮＴ個の送信器（ＴＭＴＲ）８２２ａから８２２ｔまでに、ＮＴの変調シンボルストリームを提供する。様々な実施形態において、ＴＸ  ＭＩＭＯ処理装置８２０は、送信されたシンボルから、データストリームのシンボル及びアンテナに、ビーム型荷重を適用する。
【００９３】
それぞれの送信器８２２は、一つ以上のアナログ信号を提供するために、それぞれのシンボルストリームを受信及び処理し、更に、ＭＩＭＯチャネルを送信するのに適した変調信号を提供するために、そのアナログ信号を調整（例えば、増幅、フィルタリング、アップコンバート）する。更に、送信器８２２ａから８２２ｔまでのＮＴの変調された信号は、それぞれＮＴ個のアンテナ８２４ａから８２４ｔまで送信される。
【００９４】
接続端末８５０において、送信された変調された信号は、ＮＲ個のアンテナ８５２ａから８５２ｒまでに受信され、それぞれのアンテナ８５２から受信されたその信号は、それぞれの受信器（ＲＣＶＲ）８５４ａから８５４ｒまでに提供される。それぞれの受信器８５４は、それぞれの信号を調整（例えば、フィルタリング、増幅及びダウンコンバート）し、サンプルを提供するために調整された信号をデジタル化し、そして更に、対応する「受信された」シンボルストリームを提供するために、そのサンプルを処理する。
【００９５】
ＲＸデータ処理装置８６０は、ＮＴの「検出された」シンボルストリームを提供するために、特定の受信器処理技術に基づいて、ＮＲ個の受信器８５４からのＮＲの受信シンボルストリームを受信し、処理し得る。ＲＸデータ処理装置８６０は、データストリームのためのトラヒックデータを回収するために、検出されたシンボルストリームを、復調、デインターリーブ、及び復号し得る。そのＲＸデータ処理装置８６０による処理は、基地局８１０におけるＴＸ  ＭＩＭＯ処理装置８２０及びＴＸデータ処理装置８１４に依って為されるものと相補的である。
【００９６】
プロセッサ８７０は、上記において利用可能な技術の何れを用いるか周期的に決定し得る。更に、プロセッサ８７０は、マトリクスインデックス部及びランク値を有する逆方向リンクメッセージを策定することができる。
【００９７】
この逆方向リンクメッセージは、様々な種類の通信リンク及び／又は受信されたデータストリームに係る情報を含み得る。その逆方向リンクメッセージは、変調器８８０によって変調され、送信器８５４ａから８５４ｒまでで調整され、そして基地局８１０まで返送された、データ送信装置８３６からの多くのデータストリームのためのトラヒックデータを受信する、ＴＸデータ処理装置８３８によって処理され得る。
【００９８】
基地局８１０において、接続端末８５０からの変調された信号は、接続端末８５０によって送信された逆方向リンクメッセージを抽出するために、アンテナ８２４によって受信され、受信器８２２によって調整され、復調器８４０によって復調され、そしてＲＸデータ処理装置８４２によって処理される。更に、プロセッサ８３０は、何れの予め符号化されたマトリクスをビーム型荷重の決定のために用いるかを決定するために、その抽出されたメッセージを処理できる。
【００９９】
プロセッサ８３０及び８７０は、それぞれ基地局８１０及び接続端末８５０において運用を指揮（例えば、制御する、調整する、管理する、等）することができる。プロセッサ８３０及び８７０はそれぞれ、プログラム・コードとデータを保存するメモリ８３２及び８７２と関連付けられ得る。プロセッサ８３０及び８７０はまた、周波数を導き出す演算を行うことができ、インパルス応答は、アップリンク及びダウンリンクをそれぞれ評価する。
【０１００】
一態様において、論理チャネル、制御チャネルとトラヒックチャネルに分類される。論理制御チャネルは、広帯域システム制御情報のためのＤＬチャネルである、広帯域制御チャネル（Broadcast Control Channel；ＢＣＣＨ）を含み得る。更に、論理制御チャネルは、ページング情報を伝送するＤＬチャネルである、ページング制御チャネル（Paging Control Channel；ＰＣＣＨ）を含み得る。更に、その論理制御チャネルは、マルチメディア法及びマルチキャストサービス（Multimedia Broadcast and Multicast Service；ＭＢＭＳ）スケジューリング、及び一又はいくつかのＭＴＣＨのための制御情報の送信に用いられる、一対多ＤＬチャネルであるマルチキャスト制御チャネル（Multicast Control Channel；ＭＣＣＨ）を有し得る。一般に、無線リソース制御（Radio Resource Control；ＲＲＣ）の確立後、このチャネルは、ＭＢＭＳ（例えば、旧ＭＣＣＨ＋ＭＳＣＨ）を受信するＵＥによってのみ使用される。加えて、その論理制御チャネルは、専用制御情報を送信し、ＲＲＣ接続を有するＵＥに依って使用され得る、二地点間双方向チャネルである専用制御チャネル（Dedicated Control Channel；ＤＣＣＨ）を含み得る。一態様において、論理トラヒックチャネルは、ユーザー情報の伝送のための一ＵＥに専用の二地点間双方向チャネルである専用トラヒックチャネル（Dedicated Traffic Channel；ＤＴＣＨ）を有し得る。また、その論理トラヒックチャネルは、トラヒックデータの送信のための一対多ＤＬチャネルのためのマルチキャスト・トラヒック・チャネル（Multicast Traffic Channel；ＭＴＣＨ）を含み得る。
【０１０１】
一態様において、輸送チャネルは、ＤＬ及びＵＬに分類される。ＤＬ輸送チャネルは、ブロードキャストチャネル（Broadcast Channel；ＢＣＨ）、ダウンリンク共有データチャネル（Downlink Shared Data Channel；ＤＬ−ＳＤＣＨ）及びページングチャネル（Paging Channel；ＰＣＨ）から成る。このＰＣＨは、全部のセルを介して送信される、及び他の制御／トラヒックチャネルで用いられ得る物理レイヤー（Physical layer；ＰＨＹ）リソースに写像される、ＵＥパワーセービング（例えば、非連続受信（Discontinuous Reception；ＤＲＸ）サイクルは、ネットワークによってＵＥに示される、・・・）をサポートする。そのＵＬ輸送チャネルは、ランダム・アクセス・チャネル（Random Access Channel；ＲＡＣＨ）、リクエストチャネル（Request Channel；ＲＥＱＣＨ）、アップリンク共有データチャネル（Uplink Shared Data Channel；ＵＬ−ＳＤＣＨ）、及び複数のＰＨＹチャネルを有し得る。
【０１０２】
そのＰＨＹチャネルは、ＤＬチャネル及びＵＬチャネルの集合を含み得る。例えば、ＰＨＹチャネルは、共通パイロットチャネル（Common Pilot Channel；ＣＰＩＣＨ）、同期チャネル（Synchronization Channel；ＳＣＨ）、共通制御チャネル（Common Control Channel；ＣＣＣＨ）、共有ＤＬ制御チャネル（Shared DL Control Channel；ＳＤＣＣＨ）、マルチキャスト制御チャネル（Multicast Control Channel；ＭＣＣＨ）、共有ＵＬ割当てチャネル（Shared UL Assignment Channel；ＳＵＡＣＨ）、確認応答チャネル（Acknowledgement Channel；ＡＣＫＣＨ）、ＤＬ物理共有データチャネル（DL Physical Shared Data Channel；ＤＬ−ＰＳＤＣＨ）、ＵＬ出力制御チャネル（UL Power Control Channel；ＵＰＣＣＨ）、ページング・インジケーター・チャネル（Paging Indicator Channel；ＰＩＣＨ）、及び／又は負荷インジケーター・チャネル（Load Indicator Channel；ＬＩＣＨ）を含み得る。更なる説明では、ＵＬ  ＰＨＹチャネルは、物理ランダム・アクセス・チャネル（Physical Random Access Channel；ＰＲＡＣＨ）、チャネル品質インジケーター・チャネル（Channel Quality Indicator Channel；ＣＱＩＣＨ）、確認応答チャネル（ＡＣＫＣＨ）、アンテナ・サブセット・インジケーター・チャネル（Antenna Subset Indicator Channel；ＡＳＩＣＨ）、共有リクエストチャネル（Shared Request Channel；ＳＲＱＣＨ）、ＵＬ物理共有データチャネル（UL Physical Shared Data Channel；ＵＬ−ＰＳＤＣＨ）、及び／又は広帯域パイロットチャネル（Broadband Pilot Channel；ＢＰＩＣＨ）を含み得る。
【０１０３】
ここに記載された実施形態は、ハードウェア、ソフトウェア、ファームウェア、ミドルウェア、マイクロコード、又はそれらの組合せに実装され得ると理解される。ハードウェアへの実装では、処理装置は、一つ以上の特定用途向け集積回路（application specific integrated circuits；ＡＳＩＣ）、デジタル・シグナル・プロセッサ（digital signal processors；ＤＳＰ）、デジタル信号処理装置（digital signal processing devices；ＤＳＰＤ）、プログラム可能論理回路（programmable logic devices；ＰＬＤ）、フィールド・プログラマブル・ゲート・アレイ（field programmable gate arrays；ＦＰＧＡ）、プロセッサ、コントローラ、マイクロコントローラ、マイクロプロセッサ、ここに記載された機能を実施するように設計された他の電子ユニット、又はそれらの組合せ内に実装され得る。
【０１０４】
この実施形態がソフトウェア、ファームウェア、ミドルウェア、マイクロコード、プログラム・コード、又はコードセグメントに実装されているとき、それらは、記憶要素といった機械で読み取り可能な媒体に保存され得る。コードセグメントは、処理、機能、サブプログラム、プログラム、ルーチン、サブルーチン、モジュール、ソフトウェアパッケージ、クラス、若しくは、命令、データ構造又はプログラムステートメントの組合せを表し得る。コードセグメントは、情報、データ、変数、引数又は記憶内容のパッシング及び／又は受信によって、別のコードセグメント又はハードウェア回路と結合され得る。
【０１０５】
情報、変数、引数、データ等は、メモリの共有、メッセージパッシング、トークンパッシング、ネットワーク送信等を含む様々な適切な手段を用いて、パッシング、転送、又は送信され得る。
【０１０６】
ソフトウェアの実装には、ここに記載された技術が、ここに記載された機能を実施するモジュール（例えば、処理、機能等）と共に実装され得る。ソフトウェアコードは、メモリユニットに保存され、プロセッサによって実行され得る。このメモリユニットは、プロセッサ、又は、公知の様々な手段を介してそのプロセッサと通信可能である、外部のプロセッサ内に実装され得る。
【０１０７】
図９を参照すると、描かれているのは、無線通信環境における二次同期符号のためのスクランブル信号を用いることが可能なシステム９００である。例えば、システム９００は、少なくとも部分的に基地局内に備わり得る。当然のこと乍、システム９００は、プロセッサ、ソフトウェア、又はそれらの組合せ（例えば、ファームウェア）に実装された機能を表す機能ブロックであり得る、機能ブロックを含むものとして描かれている。システム９００は、接近して作動し得る電気成分の論理グループ９０２を含む。例えば、論理グループ９０２は、一次同期符号（ＰＳＣ）の指標に基づいた、可能性のあるスクランブル符号の集合からの、スクランブル符号の選択のための電気構成要素９０４であって、前記集合内の可能性のあるスクランブル符号は、ピーク対平均電力比を最小化し相互相関を最小化する様に設計されている電気構成要素９０４を含み得る。更に、論理グループ９０２は、選択されたスクランブル符号による二次同期符号（ＳＳＣ）のスクランブル化のための電気構成要素９０６を含み得る。更に、論理グループ９０２は、ダウンリンク上でスクランブル化されたＳＳＣを送信するための電気構成要素９０８を含み得る。加えてシステム９００は、電気構成要素９０４、９０６及び９０８と関連した機能を実行するための命令を備えるメモリ９１０を含み得る。メモリ９１０は外部に描かれているが、一つ以上の電気構成要素９０４、９０６及び９０８は、メモリ９１０内に存在し得ると理解される。
【０１０８】
図１０に転じると、描かれているのは、無線通信環境における受信された二次同期符号をスクランブル解除できるシステム１０００である。システム１０００は、例えば、接続端末内に備わっている。描いてある様に、システム１０００は、プロセッサ、ソフトウェア、又はそれらの組合せ（例えば、ファームウェア）で実装される機能を表す機能ブロックを含んでいる。システム１０００は、接近して作動し得る電気成分の論理グループ１００２を含む。論理グループ１００２は、受信された一次同期符号（ＰＳＣ）に対応する指標の関数としてのスクランブル符号の集合から基地局で用いられるスクランブル符号の決定するための電気構成要素１００４を含み得る。例えば、集合内のスクランブル符号は、ピーク対平均電力比を最小化する及び相互相関を最小化する様に設計され得る。更に、論理グループ１００２は、基地局で用いられるスクランブル符号による受信された二次同期符号（ＳＳＣ）をスクランブル解除するための電気構成要素１００６を含み得る。加えて、システム１０００は、電気構成要素１００４及び１００６と関連した機能を実行するための命令を備えるメモリ１００８を含み得る。メモリ１００８は外部に描かれているが、一つ以上の電気構成要素１００４及び１００６は、メモリ９１０内に存在し得ると理解される。
【０１０９】
以上に説明されてきたことには、一つ以上の実施形態の例が含まれる。勿論、前述した実施形態を説明する目的で構成要素または方法の考えられるすべての組合せを説明することは不可能であるが、様々な実施形態の多くのさらなる組合せおよび置き換えが可能であることが、当業者には認識され得る。従って、説明される態様は、添付の特許請求の範囲の趣旨および範囲に含まれるすべてのそのような代替、変形、および変種を包含することを意図している。更に、「含む」という用語が、詳細な説明または特許請求の範囲において使用される限りで、そのような用語は、「備える」という用語が、請求項におけるつなぎの言葉として使用される場合の、「備える」と同様に包含的であることを意図している。
以下に、本願出願の当初の特許請求の範囲に記載された発明を付記する。
〔１〕
無線通信環境における同期符号のスクランブル化を円滑化する方法であって、
一次同期符号（ＰＳＣ）の指標の関数として、可能性のあるスクランブル符号の集合からスクランブル符号を選択することであって、前記集合内の前記可能性のあるスクランブル符号は、ピーク対平均電力比を最小化及び相互相関を最小化する様に設計されていることと、
前記選択されたスクランブル符号によって二次同期符号（ＳＳＣ）をスクランブル化することと、
前記スクランブル化されたＳＳＣを送信することと、
を含む方法。
〔２〕
前記集合内の前記可能性のあるスクランブル符号はそれぞれ、異なるＭ系列に基づいており、前記各Ｍ系列は、異なる生成多項式から生成される、〔１〕の方法。
〔３〕
前記集合内の前記可能性のあるスクランブル符号はそれぞれ、異なる循環シフトを伴う共通のＭ系列に基づいており、前記共通のＭ系列は、共通の生成多項式から生成される、
〔１〕の方法。
〔４〕
前記集合内の前記可能性のあるスクランブル符号はそれぞれ、可能性のあるＰＳＣの集合からの各ＰＳＣの二進数近似に基づいており、前記可能性のあるＰＳＣは、Ｚａｄｏｆｆ−Ｃｈｕ系列から生成されており、前記二進数近似は、前記可能性のあるＰＳＣに含まれる複素数の量子化されたＩ値及びＱ値を含んでいる、〔１〕の方法。
〔５〕
前記集合内の前記可能性のあるスクランブル符号はそれぞれ、各Ｇｏｌａｙ相補系列に基づいている、〔１〕の方法。
〔６〕
前記可能性のあるスクランブル符号を生成することを更に含む、〔１〕の方法。
〔７〕
ビットの切り捨て、ビットのパンクチャード、又は一つ以上の前記可能性のあるスクランブル符号の繰り返し化のうちの少なくとも一つによって、一つ以上の前記可能性のあるスクランブル符号の長さを調整することを更に含む、〔１〕の方法。
〔８〕
一次同期符号（ＰＳＣ）の指標の関数として、可能性のあるスクランブル符号の集合からスクランブル符号を選択することであって、前記集合内の前記可能性のあるスクランブル符号は、ピーク対平均電力比を最小化及び相互相関を最小化する様に設計されていることと、前記選択されたスクランブル符号によって二次同期符号（ＳＳＣ）をスクランブル化することと、前記スクランブル化されたＳＳＣを送信することと、に関する命令を保有するメモリと、
前記メモリと連結され、前記メモリに保有された前記命令を実行するように構成されたプロセッサと、
を含む無線通信装置。
〔９〕
前記メモリは、異なる各生成多項式から異なるＭ系列を生成することと、前記異なるＭ系列を前記集合内の前記可能性のあるスクランブル符号として用いることと、に関する命令を更に保有する〔８〕の無線通信装置。
〔１０〕
前記メモリは、共通の生成多項式から共通のＭ系列を生成することと、前記共通のＭ系列及び異なる各循環シフトに基づいて、前記集合内の前記可能性のあるスクランブル符号を生成することと、に関する命令を更に保有する〔８〕の無線通信装置。
〔１１〕
前記メモリは、前記各ＰＳＣに含まれる複素数のＩ値及びＱ値を量子化することで複数のＰＳＣの二進数近似を生成することと、前記複数のＰＳＣのそれぞれの前記二進数近似を前記集合内の前記可能性のあるスクランブル符号として用いることと、に関する命令を更に保有する〔８〕の無線通信装置。
〔１２〕
前記メモリは、複数のＧｏｌａｙ相補系列を生成することと、前記複数のＧｏｌａｙ相補系列を前記集合内の前記可能性のあるスクランブル符号として用いることと、に関する命令を更に保有する〔８〕の無線通信装置。
〔１３〕
前記メモリは、一つ以上の前記集合内の前記可能性のあるスクランブル符号の長さを修正することに関する命令を更に保有する〔８〕の無線通信装置。
〔１４〕
無線通信環境における二次同期符号のためのスクランブル信号を用いることを可能にする無線通信装置であって、
一次同期符号（ＰＳＣ）の指標に基づいて、可能性のあるスクランブル符号の集合からスクランブル符号を選択するための手段であって、前記集合内の前記可能性のあるスクランブル符号は、ピーク対平均電力比を最小化及び相互相関を最小化する様に設計されている手段と、
前記選択されたスクランブル符号によって二次同期符号（ＳＳＣ）をスクランブル化するための手段と、
ダウンリンクで前記スクランブル化されたＳＳＣを送信するための手段と、
を含む無線通信装置。
〔１５〕
前記集合内の前記可能性のあるスクランブル符号はそれぞれ、異なるＭ系列に基づいており、前記各異なるＭ系列は、異なる生成多項式から生成される、〔１４〕の無線通信装置。
〔１６〕
前記集合内の前記可能性のあるスクランブル符号はそれぞれ、異なる循環シフトを伴う共通Ｍ系列に基づいており、前記共通Ｍ系列は、共通生成多項式から生成される、〔１４〕の無線通信装置。
〔１７〕
前記集合内の前記可能性のあるスクランブル符号はそれぞれ、可能性のあるＰＳＣの集合から、各ＰＳＣの二進数近似に基づいており、前記可能性のあるＰＳＣは、Ｚａｄｏｆｆ−Ｃｈｕ系列から生成されており、前記二進数近似は、前記可能性のあるＰＳＣに含まれる複素数の量子化されたＩ値及びＱ値を含む、〔１４〕の無線通信装置。
〔１８〕
前記集合内の前記可能性のあるスクランブル符号はそれぞれ、各Ｇｏｌａｙ相補系列に基づいている、〔１４〕の無線通信装置。
〔１９〕
前記可能性のあるスクランブル符号を生成するための手段と、
前記ＳＳＣの長さに合わせて、少なくとも一つの前記可能性のあるスクランブル符号の長さを調整するための手段と、
を更に含む〔１４〕の無線通信装置。
〔２０〕
一次同期符号（ＰＳＣ）の指標の関数として、可能性のあるスクランブル符号の集合からスクランブル符号を選択するためのコードであって、前記集合内の前記可能性のあるスクランブル符号は、ピーク対平均電力比を最小化及び相互相関を最小化する様に設計されているコードと、
前記選択されたスクランブル符号によって二次同期符号（ＳＳＣ）をスクランブル化するためのコードと、
前記スクランブル化されたＳＳＣを送信するためのコードと、
を含むコンピュータ可読媒体、
を含むコンピュータ・プログラム・プロダクト。
〔２１〕
前記コンピュータ可読媒体は、異なる各生成多項式から異なるＭ系列を生成するためのコードと、前記Ｍ系列を前記集合内の前記可能性のあるスクランブル符号として用いるためのコードと、を更に含む〔２０〕のコンピュータ・プログラム・プロダクト。
〔２２〕
前記コンピュータ可読媒体は、共通の生成多項式から共通のＭ系列を生成するためのコードと、前記共通のＭ系列及び異なる各循環シフトに基づいて、前記集合内の前記可能性のあるスクランブル符号を生成するためのコードと、を更に含む〔２０〕のコンピュータ・プログラム・プロダクト。
〔２３〕
前記コンピュータ可読媒体は、前記各ＰＳＣに含まれる複素数のＩ値及びＱ値を量子化することで複数のＰＳＣの二進数近似を生成するためのコードと、前記複数のＰＳＣのそれぞれの二進数近似を、前記集合内の前記可能性のあるスクランブル符号として用いるためのコードと、を更に含む〔２０〕のコンピュータ・プログラム・プロダクト。
〔２４〕
前記コンピュータ可読媒体は、複数のＧｏｌａｙ相補系列を生成するためのコードと、
前記複数のＧｏｌａｙ相補系列を、前記集合内の前記可能性のあるスクランブル符号として用いるためのコードと、を更に含む〔２０〕のコンピュータ・プログラム・プロダクト。
〔２５〕
無線通信システムにおける装置であって、
一次同期符号（ＰＳＣ）の指標に基づいて、可能性のあるスクランブル符号の集合からスクランブル符号を選択し、前記集合内の前記可能性のあるスクランブル符号は、ピーク対平均電力比を最小化及び相互相関を最小化する様に設計されており、
前記選択されたスクランブル符号によって二次同期符号（ＳＳＣ）をスクランブル化する、
ように構成されたプロセッサ、
を含む装置。
〔２６〕
無線通信環境における受信された同期符号のスクランブル解除を円滑化する方法であって、
ＰＳＣ指標を特定するために受信された一次同期符号（ＰＳＣ）を復号することと、
ＰＳＣ指標の関数として、可能性のあるスクランブル符号の集合から基地局で用いられるスクランブル符号を認識することであって、前記集合内の前記可能性のあるスクランブル符号は、ピーク対平均電力比を最小化及び相互相関を最小化する様に設計されていることと、
受信された二次同期符号（ＳＳＣ）を、基地局で用いられるスクランブル符号を用いて、復号することと、
を含む方法。
〔２７〕
異なる各生成多項式から異なるＭ系列を生成することと、
前記異なるＭ系列を、前記集合内の前記可能性のあるスクランブル符号として用いることと、
を更に含む〔２６〕の方法。
〔２８〕
共通の生成多項式から共通のＭ系列を生成することと、
前記Ｍ系列及び異なる各循環シフトに基づいて、前記集合内の前記可能性のあるスクランブル符号を生成することと、
を更に含む〔２６〕の方法。
〔２９〕
それぞれのＰＳＣに含まれる複素数のＩ値及びＱ値を量子化することで複数のＰＳＣの二進数近似を生成することと、
前記複数のＰＳＣのそれぞれの前記二進数近似を、前記集合内の前記可能性のあるスクランブル符号として用いることと、
を更に含む〔２６〕の方法。
〔３０〕
複数のＧｏｌａｙ相補系列を生成することと、
前記複数のＧｏｌａｙ相補系列を、前記集合内の前記可能性のあるスクランブル符号として用いることと、
を更に含む〔２６〕の方法。
〔３１〕
前記集合内の前記可能性のあるスクランブル符号は予め定められている、〔２６〕の方法。
〔３２〕
一つ以上の前記集合内の前記可能性のあるスクランブル符号の長さを修正することを更に含む〔２６〕の方法。
〔３３〕
ＰＳＣ指標を特定するために受信された一次同期符号（ＰＳＣ）を復号することと、前記ＰＳＣ指標の関数として、可能性のあるスクランブル符号の集合から基地局で用いられるスクランブル符号を認識することであって、前記集合内の前記可能性のあるスクランブル符号は、ピーク対平均電力比を最小化及び相互相関を最小化する様に設計されていることと、受信された二次同期符号（ＳＳＣ）を前記基地局で用いられるスクランブル符号を用いて復号することと、に関する命令を保有するメモリと、
前記メモリと連結された、前記メモリに保有された前記命令を実行するように構成されたプロセッサと、
を含む無線通信装置。
〔３４〕
前記集合内の前記可能性のあるスクランブル符号はそれぞれ、異なるＭ系列に基づいており、前記異なるＭ系列はそれぞれ、異なる生成多項式から生成される、〔３３〕の無線通信装置。
〔３５〕
前記集合内の前記可能性のあるスクランブル符号はそれぞれ、異なる循環シフトを伴う共通のＭ系列に基づいており、前記共通のＭ系列は、共通の生成多項式から生成される〔３３〕の無線通信装置。
〔３６〕
前記集合内の前記可能性のあるスクランブル符号はそれぞれ、可能性のあるＰＳＣの集合から各ＰＳＣの二進数近似に基づいており、前記可能性のあるＰＳＣは、Ｚａｄｏｆｆ−Ｃｈｕ系列から生成され、前記二進数近似は、前記可能性のあるＰＳＣに含まれる複素数の量子化されたＩ値及びＱ値を含む、〔３３〕の無線通信装置。
〔３７〕
前記集合内の前記可能性のあるスクランブル符号はそれぞれ、各Ｇｏｌａｙ相補系列に基づいている〔３３〕の無線通信装置。
〔３８〕
前記メモリは、切り捨て、パンクチャード、又は繰り返し化のうちの少なくとも一つによって、一つ以上の前記集合内の前記可能性のあるスクランブル符号の長さを調整することに関する命令を更に保有する〔３３〕の無線通信装置。
〔３９〕
無線通信環境において受信された二次同期符号のスクランブル解除をする無線通信装置であって、
受信された一次同期符号（ＰＳＣ）に対応する指標の関数として、可能性のあるスクランブル符号の集合から、基地局で用いられるスクランブル符号を決定するための手段であって、前記集合内の前記可能性のあるスクランブル符号は、ピーク対平均電力比を最小化及び相互相関を最小化する様に設計されている手段と、
受信された二次同期符号（ＳＳＣ）を、前記基地局で用いられるスクランブル符号を用いて、スクランブル解除するための手段と、
を含む無線通信装置。
〔４０〕
前記集合内の前記可能性のあるスクランブル符号はそれぞれ、異なるＭ系列に基づいており、前記各異なるＭ系列は、異なる生成多項式から生成される、〔３９〕の無線通信装置。
〔４１〕
前記集合内の前記可能性のあるスクランブル符号はそれぞれ、異なる循環シフトを伴う共通のＭ系列に基づいており、前記共通のＭ系列は、共通の生成多項式から生成される、
〔３９〕の無線通信装置。
〔４２〕
前記集合内の前記可能性のあるスクランブル符号はそれぞれ、可能性のあるＰＳＣの集合からの各ＰＳＣの二進数近似に基づいており、前記可能性のあるＰＳＣは、Ｚａｄｏｆｆ−Ｃｈｕ系列から生成されており、前記二進数近似は、前記可能性のあるＰＳＣに含まれる複素数の量子化されたＩ値及びＱ値を含む、〔３９〕の無線通信装置。
〔４３〕
前記集合内の前記可能性のあるスクランブル符号はそれぞれ、各Ｇｏｌａｙ相補系列に基づいている、〔３９〕の無線通信装置。
〔４４〕
前記受信されたＳＳＣに合わせて一つ以上の前記集合内の前記可能性のあるスクランブル符号の長さを修正するための手段を更に含む〔３９〕の無線通信装置。
〔４５〕
受信された一次同期符号（ＰＳＣ）に対応する指標の関数として、スクランブル符号の集合から、基地局で用いられるスクランブル符号を決定するためのコードであって、前記集合内の前記スクランブル符号は、ピーク対平均電力比を最小化及び相互相関を最小化する様に設計されているコードと、
受信された二次同期符号（ＳＳＣ）を、前記基地局で用いられるスクランブル符号を用いて、スクランブル解除するためのコードと、
を含むコンピュータ可読媒体、
を含むコンピュータ・プログラム・プロダクト。
〔４６〕
前記コンピュータ可読媒体は、異なる各生成多項式から異なるＭ系列を生成するためのコードと、前記異なるＭ系列を前記集合内の前記可能性のあるスクランブル符号として用いるためのコードと、を更に含む〔４５〕のコンピュータ・プログラム・プロダクト。
〔４７〕
前記コンピュータ可読媒体は、共通の生成多項式から共通のＭ系列を生成するためのコードと、前記共通のＭ系列及び異なる各循環シフトに基づいて、前記集合内の前記可能性のあるスクランブル符号を生成するためのコードと、を更に含む〔４５〕のコンピュータ・プログラム・プロダクト。
〔４８〕
前記コンピュータ可読媒体は、前記ＰＳＣのそれぞれに含まれる複素数の量子化されたＩ値及びＱ値によって、複数のＰＳＣ二進数近似を生成するコードと、前記複数のＰＳＣのそれぞれの前記二進数近似を、前記集合内の前記可能性のあるスクランブル符号として用いるためのコードと、を更に含む〔４５〕のコンピュータ・プログラム・プロダクト。
〔４９〕
前記コンピュータ可読媒体は、複数のＧｏｌａｙ相補系列を生成するためのコードと、
前記複数のＧｏｌａｙ相補系列を、前記集合内の前記可能性のあるスクランブル符号として用いるためのコードと、を更に含む〔４５〕のコンピュータ・プログラム・プロダクト。
〔５０〕
無線通信システムにおける装置であって、
受信された一次同期符号（ＰＳＣ）に対応する指標の関数として、スクランブル符号の集合から、基地局で用いられるスクランブル符号を決定し、前記集合内の前記スクランブル符号は、ピーク対平均電力比を最小化及び相互相関を最小化する様に設計されており、
受信された二次同期符号（ＳＳＣ）を、前記基地局で用いられるスクランブル符号を用いて、スクランブル解除する、
ように構成されたプロセッサ、
を含む装置。
【図１】
0005490705.tif 000007
【図２】
0005490705.tif 000008
【図３】
0005490705.tif 000009
【図４】
0005490705.tif 000010
【図５】
0005490705.tif 000011
【図６】
0005490705.tif 000012
【図７】
0005490705.tif 000013
【図８】
0005490705.tif 000014
【図９】
0005490705.tif 000015
【図１０】
0005490705.tif 000016